(57)【要約】  【課題】  所望の画像に係るサムネイル画像をユーザが簡単に検索して所望の画像を得ることができる画像再生装置を提供する。  【解決手段】  表示画面２０に、サムネイル画像Ｓ，Ｓ，…が夫々配置された４本の縦に長い帯状画像の一部である帯状出力画像３１ａ，３２ａ，…を横方向に並置して表示させる。また、各帯状出力画像３１ａ，３２ａ，…に配置されたサムネイル画像Ｓ，Ｓ，…に係る動画像が分類される種類の標題を示す標題画像４１，４２，…を表示させる。縦方向へのスクロール命令を受け付けた場合、帯状出力画像３３ｂのように縦方向にスクロール表示させる。【選択図】      図６
2006014237.tif 000002
【特許請求の範囲】
【請求項１】
画像を縮小したサムネイル画像を一方向に配置した複数の帯状出力画像を含む矩形出力画像を出力する画像再生装置であって、
各帯状出力画像は、該帯状出力画像に含まれるサムネイル画像の枚数よりも多い枚数のサムネイル画像を前記一方向に配置してある帯状画像の一部であり、前記矩形出力画像は、前記複数の帯状出力画像を前記帯状画像の幅方向に並置してあり、
出力した矩形出力画像に含まれる複数の帯状出力画像の内の何れかの選択、及び選択された帯状出力画像に対する前記帯状画像の長手方向へのスクロール命令を受け付ける受付手段と、
該受付手段が前記スクロール命令を受け付けた場合、受け付けた前記スクロール命令に従い、出力すべき矩形出力画像に含まれる帯状出力画像をスクロール移動する長手方向スクロール手段と
を備えることを特徴とする画像再生装置。
【請求項２】
前記矩形出力画像は、該矩形出力画像に含まれるサムネイル画像の枚数よりも多い枚数のサムネイル画像を配置してある矩形集合画像の一部であり、
前記受付手段は、出力した矩形出力画像に対する前記幅方向へのスクロール命令を受け付けるようにしてあり、
前記受付手段が前記スクロール命令を受け付けた場合、受け付けた前記スクロール命令に従い、出力すべき矩形出力画像をスクロール移動する幅方向スクロール手段を備えることを特徴とする請求項１に記載の画像再生装置。
【請求項３】
複数の画像、及び該画像を識別する識別情報を関連付けて記憶する画像記憶手段と、
該画像記憶手段に記憶してある識別情報に応じて前記画像を分類する分類手段と、
前記帯状画像毎に、前記分類手段が分類した異なる分類に含まれる識別情報に関連付けられた画像を縮小したサムネイル画像を配置して前記帯状画像を作成する帯状画像作成手段と
を備えることを特徴とする請求項１又は２に記載の画像再生装置。
【請求項４】
異なる分類毎の標題を記憶する標題記憶手段と、
出力すべき矩形出力画像に含まれる各帯状出力画像に配置されるサムネイル画像に対応する分類の標題を前記標題記憶手段から読み出す読出手段と、
前記読出手段が読み出した標題を、前記帯状出力画像に対応して出力する標題出力手段と
を備えることを特徴とする請求項３に記載の画像再生装置。
【請求項５】
複数の画像及び該画像を識別する識別情報を関連付けて記憶する画像記憶手段と、該画像記憶手段に記憶してある識別情報に応じて前記画像を分類する分類手段とを備え、前記画像夫々を縮小したサムネイル画像を含む矩形出力画像を出力する画像再生装置であって、
前記矩形出力画像は、該矩形出力画像に含まれるサムネイル画像の枚数よりも多い枚数のサムネイル画像を含む矩形画像の一部であり、
前記分類手段が分類した同一の分類に含まれる画像を縮小したサムネイル画像を前記矩形画像の一辺方向に並置し、異なる分類に含まれる画像を縮小したサムネイル画像同士を前記一辺方向に直交する他辺方向に並置して前記矩形画像を形成する矩形画像形成手段と、
出力した矩形出力画像に対するスクロール命令を受け付ける受付手段と、
該受付手段が前記スクロール命令を受け付けた場合、受け付けた前記スクロール命令に従い、出力すべき矩形出力画像をスクロール移動するスクロール手段と
を備えることを特徴とする画像再生装置。
【請求項６】
異なる分類毎の標題を記憶する標題記憶手段と、
出力すべき矩形出力画像に並置される前記サムネイル画像夫々に対応する分類の標題を前記標題記憶手段から読み出す読出手段と、
前記読出手段が読み出した標題を、前記他辺方向に並置される前記サムネイル画像に対応して出力する標題出力手段と
を備えるようにしてあることを特徴とする請求項５に記載の画像再生装置。
【請求項７】
前記分類手段による分類の内、何れかの分類の選択を受け付ける選択手段と、
該選択手段が分類の選択を受け付けた場合、選択された分類に分類される識別情報に関連付けて記憶してある画像を前記画像記憶手段から消去する消去手段と
を備えることを特徴とする請求項３乃至６の何れかひとつに記載の画像再生装置。
【発明の詳細な説明】
【技術分野】
【０００１】
本発明は、画像を縮小したサムネイル画像を含む矩形出力画像を、外部の表示装置又は内部の表示部へ出力することによって再生する画像再生装置に関する。
【背景技術】
【０００２】
画像再生装置は、例えば内蔵するハードディスク（ＨＤＤ）に動画像を記録し、記録された動画像を縮小したサムネイル画像を外部の表示装置で再生する（特許文献１参照）。
【０００３】
このような画像再生装置は、ＨＤＤに記録してある複数の動画像を表示装置に一覧表示させるために、例えば複数の動画像夫々のサムネイル画像をマトリクス状に配置した表示画像を作成し、作成した表示画像を表示装置へ出力する。動画像のサムネイル画像は、例えば動画像をＨＤＤに記録する場合に作成され、動画像に関連付けてＨＤＤに記録される。また、動画像を記録した日時が動画像に関連付けてＨＤＤに記録され、表示画像を作成する場合、サムネイル画像は、動画像を記録した日時の順に配列される。
【０００４】
画像再生装置のユーザは、画像再生装置を操作して表示装置に表示画像を表示させ、動画像を記録した日時の順に配列されたサムネイル画像を視認し、何れかのサムネイル画像を選択する。画像再生装置は、選択されたサムネイル画像に係る動画像を表示装置上で再生し、又は、選択されたサムネイル画像及び該サムネイル画像に関連付けられた動画像をＨＤＤから消去する。
【０００５】
１頁の表示画像に、ＨＤＤに記録してある全ての動画像に係るサムネイル画像が配置できない場合、従来、画像再生装置は複数頁の表示画像を作成していた。ユーザは、表示装置に表示されている表示画像に所望の動画像に係るサムネイル画像が含まれていない場合、画像再生装置を操作して、表示されている表示画像を他の表示画像に切り替えさせていた。
【特許文献１】特開２００３−６１０３９号公報
【発明の開示】
【発明が解決しようとする課題】
【０００６】
しかしながら、表示画像には複数のサムネイル画像が記録日時の順に配列されているため、特に動画像の個数が増加して複数頁の表示画像が作成される場合には、ユーザが所望の動画像に係るサムネイル画像を容易に検索することができないという問題があった。
【０００７】
例えば、ユーザが複数の表示画像を切り替えながら所望の動画像に係るサムネイル画像を検索する場合、ユーザは複数の表示画像を切り替えて表示画像同士の差を認識し、異なる表示画像に配置されているサムネイル画像を比較して、所望の動画像を検索する必要があった。
【０００８】
また、従来、高画質／低画質の動画像、映画／バラエティ番組を記録した動画像等、動画像に関する属性、記録内容のジャンル等（以下、種類という）が異なる動画像に係るサムネイル画像同士が、種類毎に区分されることなく１頁の表示画像に混在していた。このため、ユーザはサムネイル画像に係る動画像の種類を調査又は判断して、所望の動画像を検索する必要があった。
【０００９】
本発明は斯かる事情に鑑みてなされたものであり、サムネイル画像を一方向に配置した複数の帯状出力画像を他方向に並置した矩形出力画像を出力し、表示画面上で帯状出力画像をスクロール表示させる構成とすることにより、所望の動画像に係るサムネイル画像をユーザが簡単に検索することができる画像再生装置を提供することを目的とする。
【００１０】
本発明の他の目的は、複数の帯状出力画像を並置した矩形出力画像を出力し、表示画面上で矩形出力画像をスクロール表示させる構成とすることにより、所望の画像に係るサムネイル画像をユーザが更に簡単に検索することができる画像再生装置を提供することにある。
【００１１】
本発明の他の目的は、帯状出力画像毎に異なる種類の画像に係るサムネイル画像を配置してある矩形出力画像を出力する構成とすることにより、所望の種類の画像に係るサムネイル画像をユーザが簡単に検索することができる画像再生装置を提供することにある。
【００１２】
本発明の他の目的は、帯状出力画像毎に異なる種類の画像に係るサムネイル画像を配置し、しかも標題を付加してある矩形出力画像を出力する構成とすることにより、所望の種類の画像に係るサムネイル画像をユーザが更に簡単に検索することができる画像再生装置を提供することにある。
【００１３】
本発明の他の目的は、一辺方向に同一種類の画像に係るサムネイル画像を、他辺方向に異なる種類の画像に係るサムネイル画像を夫々配置してある矩形出力画像を出力し、表示画面上で矩形出力画像をスクロール表示させる構成とすることにより、所望の種類の画像に係るサムネイル画像をユーザが簡単に検索することができる画像再生装置を提供することにある。
【００１４】
本発明の他の目的は、一辺方向に同一種類の画像に係るサムネイル画像を、他辺方向に異なる種類の画像に係るサムネイル画像を夫々配置し、しかも標題を付加してある矩形出力画像を出力し、表示画面上で矩形出力画像をスクロール表示させる構成とすることにより、所望の種類の画像に係るサムネイル画像をユーザが更に簡単に検索することができる画像再生装置を提供することにある。
【００１５】
本発明の更に他の目的は、種類の選択を受け付け、選択された同一種類の画像を消去する構成とすることにより、ユーザが所望する種類の画像を一括消去することができる画像再生装置を提供することにある。
【課題を解決するための手段】
【００１６】
本発明に係る画像再生装置は、画像を縮小したサムネイル画像を一方向に配置した複数の帯状出力画像を含む矩形出力画像を出力する画像再生装置であって、各帯状出力画像は、該帯状出力画像に含まれるサムネイル画像の枚数よりも多い枚数のサムネイル画像を前記一方向に配置してある帯状画像の一部であり、前記矩形出力画像は、前記複数の帯状出力画像を前記帯状画像の幅方向に並置してあり、出力した矩形出力画像に含まれる複数の帯状出力画像の内の何れかの選択、及び選択された帯状出力画像に対する前記帯状画像の長手方向へのスクロール命令を受け付ける受付手段と、該受付手段が前記スクロール命令を受け付けた場合、受け付けた前記スクロール命令に従い、出力すべき矩形出力画像に含まれる帯状出力画像をスクロール移動する長手方向スクロール手段とを備えることを特徴とする。
【００１７】
本発明に係る画像再生装置は、前記矩形出力画像は、該矩形出力画像に含まれるサムネイル画像の枚数よりも多い枚数のサムネイル画像を配置してある矩形集合画像の一部であり、前記受付手段は、出力した矩形出力画像に対する前記幅方向へのスクロール命令を受け付けるようにしてあり、前記受付手段が前記スクロール命令を受け付けた場合、受け付けた前記スクロール命令に従い、出力すべき矩形出力画像をスクロール移動する幅方向スクロール手段を備えることを特徴とする。
【００１８】
本発明に係る画像再生装置は、複数の画像、及び該画像を識別する識別情報を関連付けて記憶する画像記憶手段と、該画像記憶手段に記憶してある識別情報に応じて前記画像を分類する分類手段と、前記帯状画像毎に、前記分類手段が分類した異なる分類に含まれる識別情報に関連付けられた画像を縮小したサムネイル画像を配置して前記帯状画像を作成する帯状画像作成手段とを備えることを特徴とする。
【００１９】
本発明に係る画像再生装置は、異なる分類毎の標題を記憶する標題記憶手段と、出力すべき矩形出力画像に含まれる各帯状出力画像に配置されるサムネイル画像に対応する分類の標題を前記標題記憶手段から読み出す読出手段と、前記読出手段が読み出した標題を、前記帯状出力画像に対応して出力する標題出力手段とを備えることを特徴とする。
【００２０】
本発明に係る画像再生装置は、複数の画像及び該画像を識別する識別情報を関連付けて記憶する画像記憶手段と、該画像記憶手段に記憶してある識別情報に応じて前記画像を分類する分類手段とを備え、前記画像夫々を縮小したサムネイル画像を含む矩形出力画像を出力する画像再生装置であって、前記矩形出力画像は、該矩形出力画像に含まれるサムネイル画像の枚数よりも多い枚数のサムネイル画像を含む矩形画像の一部であり、前記分類手段が分類した同一の分類に含まれる画像を縮小したサムネイル画像を前記矩形画像の一辺方向に並置し、異なる分類に含まれる画像を縮小したサムネイル画像同士を前記一辺方向に直交する他辺方向に並置して前記矩形画像を形成する矩形画像形成手段と、出力した矩形出力画像に対するスクロール命令を受け付ける受付手段と、該受付手段が前記スクロール命令を受け付けた場合、受け付けた前記スクロール命令に従い、出力すべき矩形出力画像をスクロール移動するスクロール手段とを備えることを特徴とする。
【００２１】
本発明に係る画像再生装置は、異なる分類毎の標題を記憶する標題記憶手段と、出力すべき矩形出力画像に並置される前記サムネイル画像夫々に対応する分類の標題を前記標題記憶手段から読み出す読出手段と、前記読出手段が読み出した標題を、前記他辺方向に並置される前記サムネイル画像に対応して出力する標題出力手段とを備えるようにしてあることを特徴とする。
【００２２】
本発明に係る画像再生装置は、前記分類手段による分類の内、何れかの分類の選択を受け付ける選択手段と、該選択手段が分類の選択を受け付けた場合、選択された分類に分類される識別情報に関連付けて記憶してある画像を前記画像記憶手段から消去する消去手段とを備えることを特徴とする。
【００２３】
本発明にあっては、内蔵の表示部又は外部の表示装置へ矩形出力画像を出力する。矩形出力画像は、複数の帯状出力画像を含む。各帯状出力画像は、画像を縮小したサムネイル画像を一方向に配置してあり、帯状出力画像に含まれるサムネイル画像の枚数よりも多い枚数のサムネイル画像を一方向に配置してある帯状画像の一部である。矩形出力画像は、複数の帯状出力画像を、帯状画像の幅方向（以下、単に幅方向という）に並置してある。
【００２４】
受付手段は、出力された矩形出力画像に含まれる複数の帯状出力画像の内の何れかの選択、及び選択された帯状出力画像に対する帯状画像の長手方向（以下、単に長手方向という）へのスクロール命令を受け付ける。受付手段がスクロール命令を受け付けた場合、受け付けたスクロール命令に従い、長手方向スクロール手段は、出力すべき矩形出力画像に含まれる帯状出力画像をスクロール移動する。
【００２５】
本発明にあっては、内蔵の表示部又は外部の表示装置へ矩形出力画像を出力する。矩形出力画像は、矩形出力画像に含まれるサムネイル画像の枚数よりも多い枚数のサムネイル画像を配置してある矩形集合画像の一部である。即ち、矩形集合画像は、複数の帯状出力画像を幅方向に並置してある。受付手段は、出力された矩形出力画像に対する幅方向へのスクロール命令を受け付ける。受付手段がスクロール命令を受け付けた場合、受け付けたスクロール命令に従い、幅方向スクロール手段は、出力すべき矩形出力画像をスクロール移動する。
【００２６】
本発明にあっては、画像記憶手段が複数の画像及び複数の画像を識別する識別情報を関連付けて記憶する。識別情報としては、例えば画像の画質が用いられる。また、分類手段は、画像記憶手段に記憶してある識別情報に応じて複数の画像を分類する。この場合、各画像は例えば高画質／低画質のような複数の種類に分類される。
【００２７】
更に、帯状画像作成手段は、帯状画像毎に、分類手段が分類した異なる分類に含まれる識別情報に関連付けられた画像を縮小したサムネイル画像を配置して帯状画像を作成する。この場合、一の同一種類の画像を縮小したサムネイル画像は一の帯状画像に配置され、更には一の帯状画像の一部である帯状出力画像に配置され、他の同一種類の画像を縮小したサムネイル画像は他の帯状画像に配置され、更には他の帯状画像の一部である帯状出力画像に配置される。このような帯状出力画像を含む矩形出力画像は、サムネイル画像が画像の種類毎に区分されて並置されている。
【００２８】
本発明にあっては、標題記憶手段が、異なる分類毎の標題を記憶し、読出手段が、出力すべき矩形出力画像に含まれる各帯状出力画像に配置されるサムネイル画像に対応する分類の標題を標題記憶手段から読み出す。標題としては、例えば高画質／低画質のような種類に対応する「ＳＰ」／「ＥＰ」が用いられる。また、標題出力手段は、読出手段が読み出した標題を、各帯状出力画像に対応して出力する。この場合、一の種類の画像を縮小したサムネイル画像は、一の種類であることを示す標題付きで帯状出力画像に配置され、他の種類の画像を縮小したサムネイル画像は、他の種類であることを示す標題付きで帯状出力画像に配置される。このような帯状出力画像を含む矩形出力画像は、サムネイル画像が画像の種類毎に標題付きで区分されて、並置される。
【００２９】
本発明にあっては、内蔵の表示部又は外部の表示装置へ矩形出力画像を出力する。また、画像記憶手段は複数の画像及び複数の画像を識別する識別情報を関連付けて記憶し、分類手段は画像記憶手段に記憶してある識別情報に応じて複数の画像を分類する。矩形出力画像は、複数の画像夫々を縮小したサムネイル画像を含み、矩形出力画像に含まれるサムネイル画像の枚数よりも多い枚数のサムネイル画像を含む矩形画像の一部である。
【００３０】
矩形画像形成手段は、分類手段が分類した同一の分類に含まれる画像を縮小したサムネイル画像を矩形画像の一辺方向に並置し、異なる分類に含まれる画像を縮小したサムネイル画像同士を一辺方向に直交する他辺方向に並置して矩形画像を形成する。このような矩形画像の一部である矩形出力画像は、サムネイル画像が画像の種類毎に区分されて並置される。
【００３１】
受付手段は、出力された矩形出力画像に対するスクロール命令を受け付け、受付手段がスクロール命令を受け付けた場合、受け付けたスクロール命令に従い、スクロール手段は、出力すべき矩形出力画像をスクロール移動する。
【００３２】
本発明にあっては、標題記憶手段が、異なる分類毎の標題を記憶し、読出手段が、出力すべき矩形出力画像に並置される異なる分類に含まれる画像を縮小したサムネイル画像夫々に対応する分類の標題を標題記憶手段から読み出す。また、標題出力手段は、読出手段が読み出した標題を、他辺方向に並置される異なる分類に含まれる画像を縮小したサムネイル画像に対応して出力する。この場合、矩形出力画像は、サムネイル画像が画像の種類毎に標題付きで区分されて並置される。
【００３３】
本発明にあっては、選択手段が、分類手段による分類の内、何れかの分類の選択を受け付け、選択手段が分類の選択を受け付けた場合、消去手段が、選択された分類に分類される識別情報に関連付けて記憶してある画像を画像記憶手段から消去する。
【発明の効果】
【００３４】
本発明の画像再生装置によれば、サムネイル画像を配置した複数の帯状出力画像を幅方向に並置した矩形出力画像を出力するため、出力先の表示画面は、複数の帯状出力画像を並置した矩形出力画像を表示することができる。また、帯状出力画像の選択と、選択された帯状出力画像に対する長手方向へのスクロール命令とを受け付けた場合、出力先の表示画面は、矩形出力画像に含まれる帯状出力画像を長手方向にスクロール表示することができる。
【００３５】
更に、本発明の画像再生装置によれば、矩形出力画像に対する幅方向へのスクロール命令を受け付けた場合、出力先の表示画面は、矩形出力画像を幅方向にスクロール表示することができる。
【００３６】
以上の結果、ユーザが従来の画像再生装置を用いる場合のように複数の矩形出力画像を切り替えながら所望の画像を縮小したサムネイル画像を検索する必要がなく、矩形出力画像又は矩形出力画像に含まれる帯状出力画像をスクロール表示させることによって、サムネイル画像同士を容易に比較し、所望の画像（例えばＨＤＤに記録してある所望の動画像）を縮小したサムネイル画像を簡単に検索することができる。つまり、画像再生装置はユーザの利便性を向上させることができる。
【００３７】
本発明の画像再生装置によれば、帯状出力画像毎に異なる種類の画像を縮小したサムネイル画像を配置した複数の帯状出力画像を幅方向に並置した矩形出力画像を出力するため、出力先の表示画面は、複数の帯状出力画像の並置に伴ってサムネイル画像が画像の種類毎に区分されている矩形出力画像を表示することができる。また、帯状出力画像の選択と、選択された帯状出力画像に対する長手方向へのスクロール命令とを受け付けた場合、出力先の表示画面は、同一種類の画像を縮小したサムネイル画像を配置した帯状出力画像を長手方向にスクロール表示することができる。
【００３８】
更に、本発明の画像再生装置によれば、帯状出力画像毎に異なる種類の画像を縮小したサムネイル画像を配置した複数の帯状出力画像を、画像の種類の標題付きで幅方向に並置した矩形出力画像を出力するため、出力先の表示画面は、複数の帯状出力画像の並置に伴ってサムネイル画像が画像の種類毎に標題付きで区分されている矩形出力画像を表示することができる。
【００３９】
以上の結果、ユーザが従来の画像再生装置を用いる場合のようにサムネイル画像に係る画像の種類を調査又は判断して所望の種類の画像を縮小したサムネイル画像を検索する必要がなく、矩形出力画像を幅方向に又は矩形出力画像に含まれる帯状出力画像を長手方向にスクロール表示させることによって、同一種類又は異なる種類の画像を縮小したサムネイル画像同士を容易に比較し、所望の種類の画像を縮小したサムネイル画像を簡単に検索することができる。また、帯状出力画像に標題が付加されている場合は、ユーザがサムネイル画像同士を更に容易に比較し、所望の種類の画像を縮小したサムネイル画像を更に簡単に検索することができる。つまり、画像再生装置はユーザの利便性を向上させることができる。
【００４０】
本発明の画像再生装置によれば、同一の分類に含まれる画像を縮小したサムネイル画像を一辺方向に並置し、異なる分類に含まれる画像を縮小したサムネイル画像同士を他辺方向に並置した矩形出力画像を出力するため、出力先の表示画面は、サムネイル画像が画像の種類毎に区分されている矩形出力画像を表示することができる。また、矩形出力画像に対するスクロール命令を受け付けた場合、出力先の表示画面は、矩形出力画像をスクロール表示することができる。
【００４１】
更に、本発明の画像再生装置によれば、同一の分類に含まれる画像を縮小したサムネイル画像を一辺方向に並置し、異なる分類に含まれる画像を縮小したサムネイル画像同士を他辺方向に、分類の標題付きで並置した矩形出力画像を出力するため、出力先の表示画面は、サムネイル画像が画像の種類毎に標題付きで区分されている矩形出力画像を表示することができる。
【００４２】
以上の結果、ユーザが従来の画像再生装置を用いる場合のように複数の矩形出力画像を切り替えながら所望の画像を縮小したサムネイル画像を検索する必要がなく、また、ユーザが従来の画像再生装置を用いる場合のようにサムネイル画像に係る画像の種類を調査又は判断して所望の種類の画像を縮小したサムネイル画像を検索する必要がなく、矩形出力画像をスクロール表示させることによって、同一種類又は異なる種類の画像を縮小したサムネイル画像同士を容易に比較し、所望の種類の画像を縮小したサムネイル画像を簡単に検索することができる。
【００４３】
更に、帯状出力画像に標題が付加されている場合は、ユーザがサムネイル画像同士を更に容易に比較し、所望の種類の画像を縮小したサムネイル画像を更に簡単に検索することができる。つまり、画像再生装置はユーザの利便性を向上させることができる。
【００４４】
本発明の画像再生装置によれば、分類の選択を受け付け、選択された分類に分類される識別情報に関連付けて記憶してある画像、つまり選択された同一種類の画像を画像記憶手段から消去するため、ユーザが所望する種類の画像を一括して消去することができる。
【００４５】
以上のような画像再生装置は、ＨＤＤ内蔵型のデジタルビデオレコーダ、ＤＶＤに記録した画像を外部の表示装置で再生するＤＶＤプレーヤ、内蔵の表示部で静止画像／動画像を再生するデジタルカメラ等として構成することができる等、本発明は優れた効果を奏する。
【発明を実施するための最良の形態】
【００４６】
以下、本発明を、その実施の形態を示す図面に基づいて詳述する。
【００４７】
実施の形態  １．
図１は、本発明の実施の形態１に係る画像再生装置である記録再生装置１の構成を示すブロック図である。記録再生装置１は、動画像と音声とを含む映像、静止画像等を記憶するＨＤＤ１７を備えるＨＤＤ内蔵型デジタルビデオレコーダである。また、図２は、ＨＤＤ１７に記憶されるデータの一例を示す模式図である。
【００４８】
ＣＰＵ１０は記録再生装置１の制御中枢であり、記録再生装置１が備えるＲＯＭ１１、ＲＡＭ１２、年月日及び時刻を計時する図示しない時計部等の夫々に、バス又は信号線を介して接続されている。ＣＰＵ１０はＲＯＭ１１に記憶された制御プログラム及びデータに従って各部を制御し、ＲＡＭ１２を作業領域として用いて各種処理を実行する。この場合、ＣＰＵ１０は各部を作動させる作動指示及びデータを各部へ送出し、各部は受け付けた作動指示及びデータに従って作動する。
【００４９】
入出力部１６は、映像、静止画像等を、これらを再生する外部の表示装置２へ送出し、また、映像、静止画像等を撮像する外部の図示しない撮像装置から送出された映像、静止画像等を受け付けるためのインタフェースである。ＣＰＵ１０は、入出力部１６が備える入出力端子に接続された着脱可能な通信ケーブルを介して表示装置２又は撮像装置と接続して有線で映像、静止画像等を送受する。
【００５０】
表示装置２は、記録再生装置１から送出される映像、静止画像等を受け付け、受け付けた映像を動画像と音声とに分離する。また、表示装置２は、分離した又は受け付けた音声を図示しないスピーカで再生し、分離した又は受け付けた動画像、静止画像を表示画面２０に表示する。図３は、表示装置２の表示画面２０の構成を示す正面図である。表示画面２０は、横方向の画素数Ｍ、縦方向の画素数Ｎ（Ｍ，Ｎは自然数）の表示サイズを有する。ここで、縦方向は図３中矢符２ａ方向であり、横方向は図３中白抜矢符２ｂ方向である。表示画面２０の表示サイズを示すデータは、表示装置２から記録再生装置１へ入出力部１６を介して送出されて、ＲＡＭ１２又はＨＤＤ１７に記憶される。
【００５１】
ＣＰＵ１０は、記録再生装置１の作動状況、ユーザに対する操作指示、ユーザが選択すべき選択肢、選択肢を選択するためのカーソル等を、入出力部１６を介して表示装置２へ出力して表示画面２０に表示させる。ユーザは、表示画面２０に表示された各種の情報を視認して操作部１３を操作することによって、各種の操作命令及び／又は選択した選択肢を記録再生装置１に与える。なお、作動状況、操作指示、選択肢等は、記録再生装置１が備える図示しない表示部に表示させる構成でも良い。
【００５２】
操作部１３は、記録再生装置１に一体に設けられている各種操作ボタン、及び記録再生装置１に別体に設けられ操作信号を無線で送信するリモートコントローラと記録再生装置１に一体に設けられ操作信号を受信する受信部とで構成されている。
【００５３】
操作部１３には、表示装置２で映像を再生させたい場合にユーザが操作すべき再生キー、ＨＤＤ１７に記憶してある映像を消去したい場合に操作すべき消去キー等（各不図示）が設けられている。また、操作部１３には、方向キー１３１、ＯＫキー１３２、及びトグルキー１３３が設けられている。
【００５４】
操作部１３は、キー１３１，１３２，…が操作された場合に、キー１３１，１３２，…毎に異なる操作信号をＣＰＵ１０へ送出する。ＲＯＭ１１には、例えば操作部１３からＣＰＵ１０へ送出される各種操作信号と、ＣＰＵ１０に対する作動命令とが関連付けて記憶されている。また、ＣＰＵ１０は、ＲＡＭ１２に、例えば操作部１３からＣＰＵ１０へ送出される各種操作信号と、表示装置２へ出力した選択肢と、選択肢に対応する作動命令と、選択肢の位置とを関連付けて記憶させる。
【００５５】
ＣＰＵ１０は、操作信号を受け付けた場合に、操作部１３が操作されたことを検出し、受け付けた操作信号に対応する作動命令及び／又は選択肢をＲＯＭ１１から読み出すことによって作動命令及び／又は選択肢を受け付ける。また、ＣＰＵ１０は、ＯＫキー１３２が操作された場合に操作部１３から送出されるＯＫ信号を受け付けた場合に、例えば表示画面２０におけるカーソルの位置を求め、求めたカーソルの位置に対応する作動命令及び／又は選択肢をＲＡＭ１２から読み出すことによって作動命令及び／又は選択肢を受け付け、受け付けた選択肢に基づき、受け付けた作動命令に従って作動し、各部を制御する。
【００５６】
方向キー１３１は、表示装置２の表示画面２０に表示されたカーソルを上方向、下方向、右方向、及び左方向夫々に移動させたい場合か、表示画面２０に表示された画像を縦方向（上方向又は下方向）及び横方向（右方向又は左方向）夫々にスクロール表示させたい場合等に操作すべき上キー１３１ｕ、下キー１３１ｄ、右キー１３１ｒ、及び左キー１３１ｌで構成されている。
【００５７】
トグルキー１３３が操作された場合、操作部１３はトグル信号をＣＰＵ１０へ送信する。本実施の形態におけるトグルキー１３３は、方向キー１３１の機能を切り替えるためのモード切り替えキーであり、ＣＰＵ１０は、スクロール表示に関するフラグ（以下、スクロールフラグという）をセット／リセットする。スクロールフラグがセットされている場合、方向キー１３１が操作されたとき、表示画面２０に表示された画像がスクロール表示される。スクロールフラグがリセットされている場合、方向キー１３１が操作されたとき、表示画面２０に表示されたカーソルが移動する。スクロールフラグがセットされているか否かは、例えば図示しないＬＥＤの点灯／消灯によってユーザに対して報知される。
【００５８】
表示画面２０を視認したユーザは、トグルキー１３３を操作してスクロールフラグをセット又はリセットし、方向キー１３１を操作して画像をスクロール表示又はカーソルを移動させ、所望のサムネイル画像、作動命令、標題等の選択肢にカーソルを合わせてＯＫキー１３２を操作することによって、所望の選択肢に決定する。また、ユーザが、サムネイル画像にカーソルを合わせて再生キーを操作した場合は選択されたサムネイル画像に係る映像が表示装備２にて再生され、消去キーを操作した場合は選択されたサムネイル画像に係る映像がＨＤＤ１７から消去される。
【００５９】
チューナ部１４は、例えばＵＨＦテレビジョン放送信号及びＶＨＦテレビジョン放送信号の受信用チューナであり、操作部１３を用いてユーザが選択した放送チャンネルに応じた放送信号である映像を受け付ける。画像処理部１５は、画像処理部１５に入力された映像を動画像と音声とに分離するデコーダ、分離した動画像、又は入力された動画像を用いて、動画像を縮小したサムネイル画像を作成するサムネイル画像生成部（各不図示）を備え、図示しないバッファメモリを作業領域として用いて各種の画像処理を行なう。
【００６０】
以下では、サムネイル画像の元画像として動画像を例示し、サムネイル画像として、動画像に含まれる１フレームの画像を縮小した静止画像を例示する。
【００６１】
ＨＤＤ１７は、動画像と、動画像を縮小したサムネイル画像とを関連付けて記憶するために、動画像を記憶する記憶領域である動画記憶部１７１、サムネイル画像を記憶する記憶領域であるサムネイル記憶部１７２、及び、動画記憶部１７１に記憶してある動画像のアドレスとサムネイル記憶部１７２に記憶してあるサムネイル画像のアドレスとを関連付けて記憶する記憶領域である関係記憶部１７３を有する。関係記憶部１７３には、動画像のアドレス及びサムネイル画像のアドレスに関連付けて、動画像を識別する識別情報が記憶される。識別情報は、例えば動画像の記録開始日時、動画像に係るテレビジョン放送の番組名、放送チャンネル、動画像の画質、動画像の消去の可否（ユーザによって消去が許可されているか禁止されているか）等である。
【００６２】
ＣＰＵ１０は、ユーザによって与えられた作動命令に従って、チューナ部１４又は入出力部１６を介して動画像を取得した場合、取得した動画像を動画記憶部１７１に記憶させる。また、動画記憶部１７１に記憶された動画像を読み出し、読み出した動画像を画像処理部１５に入力して、サムネイル画像を作成させ、作成されたサムネイル画像をサムネイル記憶部１７２に記憶させる。この場合、操作部１３を用いたユーザが動画像に含まれる所望の画像を指定し、指定された画像を用いて画像処理部１５がサムネイル画像を作成しても良く、ＣＰＵ１０が適宜の画像を選択し、選択された画像を用いて画像処理部１５がサムネイル画像を作成しても良い。なお、動画像のサムネイル画像を作成せず、外部から取得する構成でも良い。
【００６３】
また、ＣＰＵ１０は、動画記憶部１７１に記憶された動画像のアドレス及びサムネイル記憶部１７２に記憶されたサムネイル画像のアドレス、並びに動画像の識別情報を関連付けて関係記憶部１７３に記憶させる。これによって、動画像、サムネイル画像、及び識別情報が関連付けられてＨＤＤ１７に記憶される。
【００６４】
ここで、動画像の識別情報の内、例えば動画像の記録開始日時、画質等の識別情報は、ＨＤＤ１７に動画像を記憶させる際にＣＰＵ１０によって生成されるか、入出力部１６を介して撮像装置から取得される。また、動画像に係る番組名、動画像を分類すべきジャンル、放送チャンネル等は、チューナ部１４を介して動画像と共に取得される。更に、例えば動画像に係る番組名、動画像を分類すべきジャンル、動画像の消去の可否等は、ユーザによって与えられる。
【００６５】
更にＨＤＤ１７は、種類記憶部１７４を有する。種類記憶部１７４には、動画像の種類と、種類の標題と、各種類に分類された識別情報とが関連付けて記憶される。例えば、「報道特番」「野球中継」「相撲実況」のような番組名は、「ニュース番組」、「スポーツ番組」のような種類（この場合はジャンル）に分類され、種類「スポーツ番組」と種類の標題「スポーツ」と番組名「野球中継」「相撲実況」とが関連付けられて種類記憶部１７４に記憶される。このため、例えば日曜日に記録された動画像は、種類「日曜」及び標題「ＳＵＮ」に関連付けられ、最高の画質でスポーツ番組を記録した動画像は、種類「最高画質」，「スポーツ番組」及び標題「ＦＩＮＥ」，「スポーツ」に関連付けられる。
【００６６】
なお、種類として、記録開始日時が対応する期間「今週」，「先週」，…，「１ヶ月以上前」等を用いても良い。また、記録再生装置１の工場出荷時には、動画記憶部１７１、サムネイル記憶部１７２、及び関係記憶部１７３には動画像、サムネイル画像、識別情報等は記憶されていないが、種類記憶部１７４には、予め種類、標題、及び識別情報を記憶してあっても良い。
【００６７】
関係記憶部１７３に記憶させた識別情報が、新規の識別情報である場合、即ち関係記憶部１７３に記憶させた識別情報と同一の識別情報が種類記憶部１７４に記憶されていない場合、ＣＰＵ１０は、関係記憶部１７３に記憶させた識別情報を分類すべき種類及び種類の標題とを操作部１３を介して受け付ける。この場合、ユーザは種類記憶部１７４に記憶させる種類及び標題を、操作部１３を介して記録再生装置１に与える。なお、識別情報を分類すべき種類を、例えばチューナ部１４を介して動画像と共に取得しても良い。
【００６８】
種類及び標題を受け付けない場合、即ちユーザが種類及び標題を記録再生装置１に与えない場合、ＣＰＵ１０は所定のルールに従って所定の種類及び標題を選択する。これらのルール並びに種類及び標題は、例えば、番組名である識別情報に「野球」という単語が含まれる場合は、この識別情報を種類「スポーツ番組」に分類し、標題として「スポーツ」を用いる、新規の識別情報は全て種類「その他」に分類し、標題は空白にする等である。このようなルールはデフォルトとしてＲＯＭ１１に記憶してあるか、又はユーザから与えられてＲＡＭ１２に記憶してある。
【００６９】
ＣＰＵ１０は、受け付けた種類又は選択した種類、及び種類の標題と、識別情報とを関連付けて、種類記憶部１７４に記憶させる。
【００７０】
作成画像記憶部１８及び出力画像記憶部１９はＶＲＡＭであり、作成画像記憶部１８は、サムネイル画像を配置した帯状画像、及び種類の標題を示す標題画像を記憶し、出力画像記憶部１９は、帯状画像の一部である帯状出力画像を複数並置してある矩形集合画像、及び標題画像を複数並置してある標題集合画像を記憶する。
【００７１】
図３に示す表示画面２０に対し、本実施の形態の記録再生装置１は、縦長の帯状出力画像を４本、横に並置して表示させる。記録再生装置１は、Ｍ×Ｎの表示画面２０を、上側の画素数Ｍ×ｎ１の範囲と下側の画素数Ｍ×ｎ２の範囲（ｎ１，ｎ２はｎ１＜ｎ２＜Ｎ＝ｎ１＋ｎ２の自然数）とに分けて用いる。また、本実施の形態のサムネイル画像のサイズは、横方向の画素数が画素数Ｍ／４以下の画素数であり、縦方向の画素数が画素数ｎ２／４以下の画素数である。
【００７２】
表示画面２０の画素数Ｍ×ｎ２の範囲には、（Ｍ／４）×ｎ２の帯状出力画像が、横方向に最低２本分、最大４本分並置されたＭ×ｎ２の矩形出力画像が表示される。帯状出力画像には、同一種類に分類される動画像に係るサムネイル画像（以下、同一種類のサムネイル画像という）の内の最大４枚分のサムネイル画像が縦方向に並置される。また、表示画面２０の画素数Ｍ×ｎ１の範囲には、Ｍ×ｎ１の標題出力画像が表示される。標題出力画像には、種類の標題を示す（Ｍ／４）×ｎ１の標題画像が帯状出力画像に対応して並置される。
【００７３】
記録再生装置１から表示装置２へはＭ×Ｎの画像が出力され、この画像には、上側のＭ×ｎ１の範囲に複数の標題画像が横に並置された標題出力画像が含まれ、下側のＭ×ｎ２の範囲に複数の帯状出力画像が横に並置された矩形出力画像が含まれる。
【００７４】
表示画面２０にて、帯状出力画像の夫々は、ユーザによる上キー１３１ｕ又は下キー１３１ｄの操作に応じて個々に縦方向にスクロール表示される。また、表示画面２０にて、画像全体、即ち標題出力画像と矩形出力画像とはユーザによる右キー１３１ｒ又は左キー１３１ｌの操作に応じて横方向にスクロール表示される。標題画像は、対応する帯状出力画像が縦方向にスクロール表示される場合はスクロール表示されることはない。
【００７５】
なお、同一種類のサムネイル画像が３枚以下である場合、１本の帯状出力画像には３枚分以下のサムネイル画像が配置され、また、３枚分以下のサムネイル画像が配置された帯状出力画像は、縦方向にスクロール表示されない。更に、表示すべき異なる種類が２個以上４個以下である場合、矩形出力画像には２本以上４本以下の帯状出力画像が並置され、このような矩形出力画像は横方向にスクロール表示されない。更に、表示すべき種類が１個である場合、矩形出力画像には帯状出力画像が含まれず、表示すべき種類の動画像に係るサムネイル画像がマトリクス状に配置された矩形出力画像が表示される。この矩形出力画像は、縦／横方向にスクロール表示されても良い。
【００７６】
更にまた、Ｍ×Ｎの表示画面２０を左右に分けて用い、右側の範囲には、最大４枚分のサムネイル画像を横方向に並置した帯状出力画像が縦方向に最大４本分並置された矩形出力画像が表示され、左側の範囲には、標題画像が帯状出力画像に対応して並置された標題出力画像が表示されても良い。また、標題画像、更には標題出力画像は省略しても良い。
【００７７】
以下では、同一種類のサムネイル画像が５枚以上であり、表示すべき異なる種類が５個以上である場合を主に説明する。
【００７８】
図４及び図５（ａ）は、作成画像記憶部１８及び出力画像記憶部１９の夫々に記憶される画像の一例を示す模式図である。
【００７９】
図４は作成画像記憶部１８に記憶される標題画像４１，４２，…と帯状画像３１，３２，…とを示している。帯状画像３１，３２，…の内、ハッチングで覆われていない部分は、帯状画像３１，３２，…夫々の一部である帯状出力画像３１ａ，３２ａ，…を示している。また、図５（ａ）は出力画像記憶部１９に記憶される標題集合画像５００と、矩形集合画像５０とを示している。標題集合画像５００は標題画像４１，４２，…を横方向に並置してあり、矩形集合画像５０は帯状出力画像３１ａ，３２ａ，…を横方向に並置してある。標題集合画像５００の内、ハッチングで覆われていない部分は、標題集合画像５００の一部である標題出力画像５０１を示し、矩形集合画像５０の内、ハッチングで覆われていない部分は、矩形集合画像５０の一部である矩形出力画像５１を示している。
【００８０】
ただし、例えば出力画像記憶部１９に帯状出力画像３１ａ，３２ａ，…のデータ夫々が横方向に並置されて記憶されている必要はなく、矩形出力画像５１が表示画面２０に表示された場合（後述する図５（ｂ）参照）に帯状出力画像３１ａ，３２ａ，…同士が横方向に並置されるよう関連付けて各データが記録されていれば良い。
【００８１】
図４に示すように、帯状画像３１，３２，…夫々は、画素数Ｍ／４の幅と画素数Ｌ（Ｌ＞ｎ２の自然数）の長さとを有する。帯状画像３１，３２，…夫々は、同一種類に分類される５枚以上のサムネイル画像Ｓ，Ｓ，…を、サムネイル画像Ｓ，Ｓ，…同士の向きを一致させて、また、各サムネイル画像Ｓ，Ｓ，…の縦方向を帯状画像３１，３２，…の長手方向に一致させて、長手方向に並置してある。例えば帯状画像３１には、最高画質（ＦＩＮＥ）の動画像夫々を縮小したサムネイル画像Ｓ，Ｓ，…が並置され、帯状画像３２には、高画質（ＳＰ）の動画像夫々を縮小したサムネイル画像Ｓ，Ｓ，…が並置され、…、更に帯状画像３５には、動画像の画質の高低にかかわらず、ユーザによって消去禁止（ＬＯＣＫ）に設定された動画像夫々に係るサムネイル画像Ｓ，Ｓ，…が並置されている。
【００８２】
帯状画像３１，３２，…夫々は、帯状画像３１，３２，…夫々の一部である帯状出力画像３１ａ，３２ａ，…夫々に含まれるサムネイル画像の枚数よりも多い枚数のサムネイル画像を配置してある。本実施の形態では、帯状画像３１，３２，…夫々の長手方向は表示画面２０の縦方向に対応し、幅方向は横方向に対応する。
【００８３】
なお、帯状画像３１，３２，…夫々の長手方向の長さは異なっていても良い。また、各帯状画像３１，３２，…におけるサムネイル画像Ｓ，Ｓ，…の並置順は、例えば記録開始日時の若い順、番組名の五十音順等であり、ＲＯＭ１１に記憶されたデフォルトの並置順でも、操作部１３を介してユーザによって指定されＲＡＭ１２に記憶された並置順でも良い。更に、帯状画像３１，３２，…の横方向への並置順も、ＲＯＭ１１に記憶されたデフォルトの並置順でも、操作部１３を介してユーザによって指定されＲＡＭ１２に記憶された並置順でも良い。更にまた、サムネイル画像Ｓ，Ｓ，…の並置順、及び／又は帯状画像３１，３２，…の横方向への並置順を、矩形出力画像５１の表示装置２への出力後に、操作部１３を介したユーザの命令に応じて変更可能に構成しても良い。
【００８４】
標題画像４１，４２，…夫々は、画素数Ｍ／４の幅と画素数ｎ１の長さとを有する。標題画像４１，４２，…夫々は、帯状画像３１，３２，…夫々に配置された複数のサムネイル画像Ｓ，Ｓ，…に係る動画像が分類される種類の標題を示す。
【００８５】
表示装置２へ標題出力画像５０１及び矩形出力画像５１を送出するために、ＣＰＵ１０は、まず、図４に示すように、帯状画像３１，３２，…の内、縦方向で画素数ｎ２に応じた帯状出力画像３１ａ，３２ａ，…を特定する。この場合、ＣＰＵ１０は、例えば帯状画像３１の内、帯状出力画像３１ａとして読み出すべき範囲を特定する。
【００８６】
次にＣＰＵ１０は、帯状出力画像３１ａ，３２ａ，…をこの順に作成画像記憶部１８から読み出して、帯状出力画像３１ａ，３２ａ，…同士が横方向に並置されるよう帯状出力画像３１ａ，３２ａ，…のデータを関連付けて出力画像記憶部１９に記憶させることによって矩形集合画像５０を作成する。矩形集合画像５０は、縦方向の画素数が各帯状出力画像３１ａ，３２ａ，…の画素数と同じｎ２であり、横方向の画素数が画素数Ｂ（ＢはＢ＞Ｍの自然数であり、画素数（Ｍ／４）の帯状出力画像３１ａ，３２ａ，…の本数倍の値）である。
【００８７】
更に、ＣＰＵ１０は、作成画像記憶部１８から標題画像４１，４２，…をこの順に読み出して、標題画像４１，４２，…のデータ同士、及び標題画像４１，４２，…夫々のデータと帯状出力画像３１ａ，３２ａ，…夫々のデータとを関連付けて出力画像記憶部１９に記憶させることによって標題集合画像５００を作成する。標題集合画像５００は、標題画像４１，４２，…同士が横方向に並置され、かつ、標題画像４１，４２，…が上側に、帯状出力画像３１ａ，３２ａ，…が下側になるよう標題画像４１及び帯状出力画像３１ａと、標題画像４２及び帯状出力画像３２ａと、…が縦方向に並置されるよう作成される。標題集合画像５００は、縦方向の画素数が各標題画像４１，４２，…の画素数と同じｎ１であり、横方向の画素数が画素数Ｂである。
【００８８】
更にまた、ＣＰＵ１０は、矩形集合画像５０の内、横方向で画素数Ｍに応じた矩形出力画像５１を特定する。図５（ａ）では帯状出力画像３１ａ，３２ａ，…，３４ａの全範囲が矩形出力画像５１として特定された場合を例示している。更に、ＣＰＵ１０は、矩形出力画像５１に含まれる帯状出力画像３１ａ，３２ａ，…，３４ａに応じて、標題集合画像５００の内、横方向で画素数Ｍに応じた標題出力画像５０１を特定する。図５（ａ）では標題画像４１，４２，…，４４の全範囲が標題出力画像５０１として特定されている。以上のようにして特定された標題出力画像５０１及び矩形出力画像５１は、画素数Ｍ×Ｎの画像となる。
【００８９】
最後に、ＣＰＵ１０は、特定した標題出力画像５０１及び矩形出力画像５１を、入出力部１６を介して表示装置２へ出力する。
【００９０】
図５（ｂ）及び図６は、表示装置２の表示画面２０に表示される画像の一例を夫々示す模式図である。図５（ｂ）は、表示画面２０に表示される標題出力画像５０１及び矩形出力画像５１を示しており、このような矩形出力画像５１は、標題出力画像５０１及び矩形出力画像５１が記録再生装置１から表示装置２へ出力された場合に、表示装置２によって表示画面２０に表示される。表示画面２０に表示される矩形出力画像５１には、サムネイル画像Ｓ，Ｓ，…又は帯状出力画像３１ａ，３２ａ，…，３４ａを選択するためのカーソルＣも含まれている。ＣＰＵ１０は、カーソルＣの画像データを、標題出力画像５０１及び矩形出力画像５１と同時的に、入出力部１６を介して表示装置２へ出力する。
【００９１】
本実施の形態においては、カーソルＣの位置はサムネイル画像Ｓの外枠が反転表示（白枠表示）されることによって示されており、図５（ｂ）の場合、帯状出力画像３３ａに含まれる上から２枚目のサムネイル画像Ｓに位置している。スクロールフラグがリセットされている場合、上キー１３１ｕ、下キー１３１ｄ、右キー１３１ｒ、又は左キー１３１ｌが操作されたとき、カーソルＣは帯状出力画像３３ａに含まれる上から１枚目のサムネイル画像Ｓ、上から３枚目のサムネイル画像Ｓ、帯状出力画像３２ａに含まれる上から２枚目のサムネイル画像Ｓ、又は帯状出力画像３４ａに含まれる上から２枚目のサムネイル画像Ｓへ移動する。
【００９２】
カーソルＣが所望の動画像に係るサムネイル画像Ｓに位置した場合、ユーザは例えば再生キー又は消去キーを操作する。このとき、選択されたサムネイル画像Ｓに係る動画像が表示装置２へ出力されて再生されるか、又は選択されたサムネイル画像Ｓに係る動画像が消去される。
【００９３】
また、スクロールフラグがセットされている場合、上キー１３１ｕ若しくは下キー１３１ｄ、又は右キー１３１ｒ若しくは左キー１３１ｌが操作されたとき、図５（ｂ）に示す帯状出力画像３３ａは図６（ａ）に示すように上方向若しくは下方向にスクロール表示され、又は図５（ｂ）に示す標題出力画像５０１及び矩形出力画像５１が図６（ｂ）に示すように右方向又は左方向にスクロール表示される。
【００９４】
帯状出力画像３３ａが縦スクロール表示される場合、表示画面２０には、帯状画像３３において、帯状出力画像３３ａが縦方向にスクロール移動した帯状出力画像３３ｂが表示され、帯状出力画像３１ａ，３２ａ，３３ｂ，３４ａを含む矩形出力画像５２が表示される（図６（ａ））。このとき、標題集合画像５０１は変化しない。帯状出力画像３３ｂには、３枚のサムネイル画像Ｓ，Ｓ，Ｓ夫々の全部と、これらとは異なる２枚のサムネイル画像Ｓ，Ｓの各一部とが含まれ、２枚のサムネイル画像Ｓ，Ｓの各一部のサイズの和は１枚分のサムネイル画像のサイズに等しい。
【００９５】
また、標題出力画像５０１及び矩形出力画像５１が横スクロール表示される場合、表示画面２０には、標題集合画像５００及び矩形集合画像５０において、標題出力画像５０１及び矩形出力画像５１が横方向にスクロール移動した標題出力画像５０３及び矩形出力画像５３が表示される（図６（ｂ））。矩形出力画像５３には、３本の帯状出力画像３２ａ，３３ａ，３４ａ夫々の全部と、２本の帯状出力画像３１ａ，３５ａの各一部とが含まれ、２本の帯状出力画像３１ａ，３５ａの各一部のサイズの和は１本分の帯状出力画像のサイズに等しい。同様に、標題出力画像５０３には、３枚の標題画像４２，４３，４４夫々の全部と、２枚の標題画像４１，４５の各一部とが含まれ、２枚の標題画像４１，４５の各一部のサイズの和は１枚分の標題画像のサイズに等しい。
【００９６】
以上のように、本実施の形態においては１本の帯状出力画像が縦スクロール表示されるか、又は表示画面２０に表示された標題出力画像及び矩形出力画像が全体的に横スクロール表示される場合を例示しているが、これらに限るものではない。例えば、２本以上の帯状出力画像が同時的に縦スクロール表示される構成でも良い。また、１本の帯状出力画像及び１枚の標題画像が横スクロール表示される構成でも良い。図７は、表示装置２の表示画面２０に表示される画像の他の一例を示す模式図である。例えば、図示しないＳＨＩＦＴキーが操作されると同時に右キー１３１ｒ又は左キー１３１ｌが操作されたとき、図５（ｂ）に示す標題画像４３及び帯状出力画像３３ａが図７に示すように右方向又は左方向にスクロール表示される。
【００９７】
さて、例えば電源がオン状態にされた場合、記録再生装置１は、記録再生装置１に対する各種操作命令のリスト及び操作命令を選択するためのカーソルを表示装置２へ出力し、表示装置２は、入力されたリスト及びカーソルを表示画面２０に表示させる。記録再生装置１を用いるユーザは、所望の動画像を表示装置２の表示画面２０に表示させたい場合、所望の動画像をＨＤＤ１７から消去したい場合等に、操作部１３の方向キー１３１を操作してカーソルを移動させ、各種操作命令のリストの中から、動画記憶部１７１に記録されている動画像に係るサムネイル画像のリストを表示画面２０に表示させるための表示準備命令を選択してＯＫキー１３２を操作する。このようにして、ユーザは表示準備命令を記録再生装置１に与える。
【００９８】
図８及び図９はＣＰＵ１０が実行する帯状画像出力処理の手順を示すフローチャートである。帯状画像出力処理は、記録再生装置１に表示準備命令が与えられた場合にメインのルーチンから呼び出されて実行されるサブルーチンである。
【００９９】
表示準備命令を受け付けたＣＰＵ１０は、まず、ＨＤＤ１７の種類記憶部１７４から種類の標題を読み出して（Ｓ１１）、入出力部１６を介し、標題のリスト及びカーソル、表示実行命令を表示装置２へ出力する（Ｓ１２）。この場合、表示装置２は、入力された標題のリスト、表示実行命令及びカーソルを表示画面２０に表示させる。なお、Ｓ１１の時点で、その種類に分類すべき動画像が動画記憶部１７１に記憶されていない種類は表示装置２へ出力しないことが好ましい。
【０１００】
この後、ＣＰＵ１０は、変数Ｉに“０”をセットする（Ｓ１３）。ＣＰＵ１０は、変数Ｉを、選択された標題の個数、即ち選択された種類の個数を計数するために用いる。
【０１０１】
ユーザは表示画面２０に表示された標題のリストを視認して、所望の標題を検索し、方向キー１３１を操作してカーソルを移動させ、所望の種類の標題を示す選択肢にカーソルを合わせてＯＫキー１３２を操作し、最後に、表示実行命令を示す選択肢にカーソルを合わせてＯＫキー１３２を操作する。このようにして、ユーザは記録再生装置１に種類の選択と表示実行命令とを与える。なお、個々の標題を選択する構成ではなく、複数の標題の組（曜日、番組のジャンル等）を選択する構成でも良い。
【０１０２】
ＣＰＵ１０は、操作部１３を介して標題の選択を受け付けたか否かを判定し（Ｓ１４）、受け付けた場合（Ｓ１４でＹＥＳ）、変数Ｉをインクリメントする（Ｓ１５）。Ｓ１５の処理完了後、又は操作部１３を介して標題の選択を受け付けていない場合（Ｓ１４でＮＯ）、ＣＰＵ１０は、操作部１３を介して表示実行命令を受け付けたか否かを判定し（Ｓ１６）、受け付けていない場合（Ｓ１６でＮＯ）、処理をＳ１４へ戻す。
【０１０３】
以上の場合、ＣＰＵ１０は、ＯＫキー１３２が操作された場合に操作部１３から送出されるＯＫ信号を受け付けたか否かを判定し、受け付けていない場合はＳ１４及びＳ１６でＮＯであると判定する。ＯＫ信号を受け付けたとき、ＣＰＵ１０は表示画面２０上のカーソルの位置を求め、求めた位置が標題の表示位置か表示実行命令の表示位置かを判定し、カーソルの位置が標題の表示位置である場合はＳ１４でＹＥＳであると判定して標題の選択を受け付け、カーソルの位置が表示実行命令の表示位置である場合はＳ１６でＹＥＳであると判定して表示実行命令を受け付ける。
【０１０４】
操作部１３を介して表示実行命令を受け付けた場合（Ｓ１６でＹＥＳ）、ＣＰＵ１０は変数Ｉが１以下であるか否かを判定し（Ｓ１７）、Ｉ≦１である場合（Ｓ１７でＹＥＳ）、帯状画像出力処理を終了して、処理をメインルーチンへ戻す。ここで、Ｉ＝０である場合、標題が選択されていないため、ＣＰＵ１０はエラーであると判定して、例えば再び帯状画像出力処理をＳ１１から実行開始する。
【０１０５】
また、Ｉ＝１である場合、標題が１個しか選択されていないため、ＣＰＵ１０は帯状画像を作成する必要がないと判定し、図示しない他の画像出力処理を実行開始する。この画像出力処理を実行したＣＰＵ１０は、選択された標題、即ち選択された種類の動画像に係るサムネイル画像をマトリクス状に配置した矩形出力画像を作成して表示装置２へ出力する。なお、この矩形出力画像は頁単位で表示を切り替える構成でもスクロール表示可能な構成でも良い。
【０１０６】
Ｉ＞１である場合（Ｓ１７でＮＯ）、ＣＰＵ１０は、変数ｉに“０”をセットする（Ｓ１８）。ＣＰＵ１０は、変数ｉを、Ｓ１９〜Ｓ３５の処理をＩ回だけ繰り返すために用いる。
【０１０７】
次に、ＣＰＵ１０は、Ｓ１４の処理が複数繰り返されて選択された複数の標題夫々に係る種類の内、その種類に関してＳ２０〜Ｓ３５の処理をまだ実行しておらず帯状画像及び標題画像を作成していない種類を１個だけ選択し（Ｓ１９）、選択された種類の動画像に係るサムネイル画像Ｓ，Ｓ，…を全て読み出して（Ｓ２０）、読み出したサムネイル画像Ｓ，Ｓ，…を縦方向に配置した１本の帯状画像を作成し（Ｓ２１）、作成した帯状画像を作成画像記憶部１８に記憶させる。
【０１０８】
Ｓ２１の処理後、ＣＰＵ１０はＳ１９で選択された種類の標題を種類記憶部１７４から読み出し（Ｓ３１）、読み出した標題を示す標題画像を作成し（Ｓ３２）、作成した標題画像を作成画像記憶部１８に記憶させる。Ｓ３２の処理後、ＣＰＵ１０は、Ｓ２１で作成した帯状画像の内の帯状出力画像となる範囲を特定する（Ｓ３３）。Ｓ３３の処理後、ＣＰＵ１０は変数ｉをインクリメントして（Ｓ３４）、変数ｉが変数Ｉ以上であるか否かを判定する（Ｓ３５）。ｉ＜Ｉである場合（Ｓ３５でＮＯ）、その種類に関して帯状画像及び標題画像を作成していない種類がまだあると判定し、ＣＰＵ１０は、処理をＳ１９へ戻し、他の種類を選択する。
【０１０９】
具体的には、Ｓ１４にてユーザが標題「ＦＩＮＥ」、「ＳＰ」、「ＬＰ」、「ＥＰ」及び「ＬＯＣＫ」を選択した場合、Ｉ＝５でありＳ１７にてＮＯとなり、ＣＰＵ１０は、種類記憶部１７４を参照して、Ｓ１９にて、Ｓ１４で選択された複数の標題夫々に係る種類「最高画質」、「高画質」、「中画質」、「低画質」及び「消去禁止」の内、例えば種類「最高画質」を選択する。種類「最高画質」を選択したＣＰＵ１０は、Ｓ２０にて、種類記憶部１７４を参照し、種類「最高画質」に関連付けて記憶されている識別情報「ＦＩＮＥ」を得る。
【０１１０】
更にＣＰＵ１０は、得られた識別情報「ＦＩＮＥ」に関連付けて記憶されているサムネイル画像のアドレスを、関係記憶部１７３を参照して得る。更にまたＣＰＵ１０は、得られたアドレスに基づいて、サムネイル記憶部１７２に記憶されているサムネイル画像Ｓ，Ｓ，…を読み出す。
【０１１１】
なお、選択された複数種類夫々に係る識別情報に関連付けられた動画像が存在する場合、例えば種類「高画質」及び「消去禁止」の両方に関連付けられた高画質であり消去禁止に設定されている動画像が存在する場合、ＣＰＵ１０は、種類の優先順位を判定して、動画像を、優先順位が高い種類に分類する。本実施の形態では、高画質であり消去禁止に設定されている動画像は、種類「消去禁止」に分類される。種類の優先順位は、予めＲＯＭ１１に記憶してあっても良く、ユーザに何れの種類を優先するかを選択させても良い。また、種類「高画質」及び「消去禁止」の両方に関連付けられた動画像に係るサムネイル画像を、種類「高画質」の帯状画像及び種類「消去禁止」の帯状画像の両方に配置しても良い。
【０１１２】
ＣＰＵ１０は、Ｓ２１にて、作成画像記憶部１８を作業領域とし、Ｓ２０で読み出した複数のサムネイル画像Ｓ，Ｓ，…を縦方向に配置した図４に示す（Ｍ／４）×Ｌの帯状画像３１を１本作成する。帯状画像は、例えば帯状画像の書式がＲＯＭ１１に記憶してあり、ＣＰＵ１０は、ＲＯＭ１１から帯状画像の書式を読み出して、読み出した書式に、読み出した複数のサムネイル画像Ｓ，Ｓ，…の向きを合わせて付加することによって帯状画像を作成する。なお、ＣＰＵ１０が帯状画像を作成する構成ではなく、読み出した複数のサムネイル画像Ｓ，Ｓ，…を画像処理部１５の図示しない帯状画像作成部に入力して、帯状画像作成部に帯状画像を作成させる構成でも良い。
【０１１３】
更にＣＰＵ１０は、Ｓ３１にて、種類「最高画質」に関連付けて記憶されている標題「ＦＩＮＥ」を読み出し、Ｓ３２にて、作成画像記憶部１８を作業領域とし、Ｓ３１で読み出した標題「ＦＩＮＥ」を用いて図４に示す（Ｍ／４）×ｎ１の標題画像４１を１枚作成する。
【０１１４】
更にまたＣＰＵ１０は、Ｓ３３にて、帯状画像３１の内の帯状出力画像となる（Ｍ／４）×ｎ２の範囲を特定する。ここで特定された範囲が図４に示す（Ｍ／４）×ｎ２の帯状出力画像３１ａである。
【０１１５】
Ｓ３４にて変数ｉ＝１となり、Ｓ３５にてｉ＜Ｉ＝５であるため、ＣＰＵ１０は、再びＳ１９にて、種類「最高画質」を除く種類「高画質」、「中画質」、「低画質」及び「消去禁止」の内、例えば種類「高画質」を選択し、同様にして帯状画像３２、標題画像４２を作成し、帯状出力画像３２ａを特定する。以下、種類「中画質」、「低画質」及び「消去禁止」を順に選択し、同様にして帯状画像３３，３４，３５、標題画像４３，４４，４５を作成し、帯状出力画像３３ａ，３４ａ，３５ａを特定する。この後、Ｓ３４にて変数ｉ＝５となり、Ｓ３５にてｉ≧Ｉ＝５であるため、ＣＰＵ１０は、処理をＳ３６へ移す。この場合、作成画像記憶部１８には、帯状出力画像３１ａ，３２ａ，…が特定された帯状画像３１，３２，…と標題画像４１，４２，…が記憶されている。
【０１１６】
ＣＰＵ１０は、ｉ≧Ｉである場合（Ｓ３５でＹＥＳ）、作成画像記憶部１８に記憶された全ての標題画像と全ての帯状出力画像とを読み出し（Ｓ３６）、読み出した標題画像を用いて標題集合画像を、また読み出した帯状出力画像を用いて矩形集合画像を作成し（Ｓ３７）、作成した標題集合画像及び矩形集合画像を出力画像記憶部１９に記憶させる。更に、ＣＰＵ１０は、出力画像記憶部１９に記憶させた標題集合画像の内の標題出力画像となる範囲を特定し、また、出力画像記憶部１９に記憶させた矩形集合画像の内の矩形出力画像となる範囲を特定する（Ｓ３８）。
【０１１７】
更にまた、ＣＰＵ１０は、特定した標題出力画像及び矩形出力画像を出力画像記憶部１９から読み出して（Ｓ３９）、入出力部１６を介し、読み出した標題出力画像及び矩形出力画像を表示装置２へ出力する（Ｓ４０）。更に、図示はしないが、ＣＰＵ１０は、入出力部１６を介し、カーソルを表示装置２へ出力する。この後、ＣＰＵ１０は、帯状画像出力処理を終了して、処理をメインのルーチンへ戻す。
【０１１８】
具体的には、Ｓ３６にて、ＣＰＵ１０は図４に示すような作成画像記憶部１８に記憶された全ての標題画像４１，４２，…及び帯状出力画像３１ａ，３２ａ，…を読み出す。次に、ＣＰＵ１０は、Ｓ３７にて、図５（ａ）に示すようなＢ×ｎ１の標題集合画像５００及びＢ×ｎ２の矩形集合画像５０を作成する。この場合、ＣＰＵ１０は、読み出した標題画像４１，４２，…を、互いが横方向に並置されるよう関連付けて、また、読み出した帯状出力画像３１ａ，３２ａ，…を、互いが横方向に並置されるよう関連付けて、更に、標題画像４１と帯状出力画像３１ａと、標題画像４２と帯状出力画像３２ａと、…が縦方向に並置されるよう関連付けて、出力画像記憶部１９に記憶させることによって標題集合画像５００及びＢ×ｎ２の矩形集合画像５０を作成する。
【０１１９】
更に、ＣＰＵ１０は、Ｓ３８にて、出力画像記憶部１９に記憶させた標題集合画像５００及び矩形集合画像５０の内、標題集合画像５００の標題出力画像となるＭ×ｎ１の範囲、及び矩形集合画像５０の矩形出力画像となるＭ×ｎ２の範囲を夫々特定する。ここで特定された範囲が図５（ａ）に示すＭ×ｎ１の標題出力画像５０１及びＭ×ｎ２の矩形出力画像５１である。更にまた、ＣＰＵ１０は、Ｓ３９にて、Ｓ３８で特定した標題出力画像５０１及び矩形出力画像５１を読み出し、Ｓ４０にて、Ｓ３９で読み出した標題出力画像５０１及び矩形出力画像５１とカーソルとを表示装置２へ出力する。標題出力画像５０１及び矩形出力画像５１とカーソルとを入力された表示装置２の表示画面２０には、図５（ｂ）に示す標題出力画像５０１及び矩形出力画像５１とカーソルＣとが表示される。
【０１２０】
ユーザは、表示画面２０に表示された標題出力画像５０１と矩形出力画像５１と、即ち種類「最高画質」、「高画質」、「中画質」、及び「低画質」の標題「ＦＩＮＥ」、「ＳＰ」、「ＬＰ」、及び「ＥＰ」が示された標題画像４１，４２，４３，４４を含む標題出力画像５０１と種類「最高画質」、「高画質」、「中画質」、「低画質」及び「消去禁止」の動画像に係るサムネイル画像Ｓ，Ｓ，…が配置された帯状出力画像３１ａ，３２ａ，３３ａ，３４ａを含む矩形出力画像５１とを視認して、表示されているサムネイル画像Ｓ，Ｓ，…の中から所望の動画像に係るサムネイル画像Ｓを検索する。
【０１２１】
この場合、表示画面２０に表示されている種類に関し、表示画面２０に表示されていないサムネイル画像Ｓ，Ｓ，…を表示画面２０に表示させたいとき、ユーザは標題画像４１，４２，…，４４が示す標題を視認して所望の種類のサムネイル画像Ｓ，Ｓ，…が配置されている帯状出力画像３１ａ，３２ａ，…，３４ａを検索し、検索した例えば帯状出力画像３３ａを選択するために、操作部１３の方向キー１３１を操作してカーソルを帯状出力画像３３ａに配置されたサムネイル画像Ｓ，Ｓ，…の何れかに合わせてから、トグルキー１３３を操作してスクロールフラグをセットさせ、更に、上キー１３１ｕ又は下キー１３１ｄを操作する。以上のようにしてユーザは記録再生装置１に帯状画像範囲の選択と縦スクロール命令とを与える。
【０１２２】
ユーザは、所望のサムネイル画像Ｓ，Ｓ，…が表示画面２０に表示されるまで上キー１３１ｕ又は下キー１３１ｄの操作を継続する。この場合、表示画面２０には、選択された帯状出力画像３３ａに係る帯状出力画像が継続的に縦スクロール表示される。
【０１２３】
また、表示画面２０に表示されていない種類の動画像に係るサムネイル画像Ｓ，Ｓ，…を表示画面２０に表示させたいとき、ユーザはトグルキー１３３を操作してスクロールフラグをセットさせ、更に、右キー１３１ｒ又は左キー１３１ｌを操作する。以上のようにしてユーザは記録再生装置１に横スクロール命令を与える。
【０１２４】
ユーザは、所望の種類の標題を示す標題画像が表示画面２０に表示されるまで右キー１３１ｒ又は左キー１３１ｌの操作を継続する。この場合、表示画面２０には、標題出力画像５０１及び矩形出力画像５１に係る標題出力画像及び矩形出力画像が継続的に横スクロール表示される。
【０１２５】
図１０はＣＰＵ１０が実行するスクロール移動処理の手順を示すフローチャートである。スクロール移動処理は、図８〜図９に示した帯状画像出力処理の完了後にメインのルーチンから適宜に繰り返し呼び出されて実行されるサブルーチンである。
【０１２６】
まず、ＣＰＵ１０は、スクロールフラグがセットされているか否かを判定し（Ｓ５１）、スクロールフラグがリセットされている場合は（Ｓ５１でＮＯ）、スクロール移動処理を終了して処理をメインのルーチンへ戻す。スクロールフラグがセットされている場合（Ｓ５１でＹＥＳ）、ＣＰＵ１０は、Ｓ５１の時点でカーソルが位置しているサムネイル画像Ｓが含まれる帯状出力画像の選択を受け付ける（Ｓ５２）。例えば図５（ｂ）では、帯状出力画像３３ａの選択が受け付けられる。
【０１２７】
ＣＰＵ１０は、操作部１３を介して縦スクロール命令を受け付けたか否かを判定（Ｓ５３）、即ち上キー１３１ｕ又は下キー１３１ｄが操作された場合に操作部１３から送出される上方向信号又は下方向信号を受け付けたか否かを判定する。受け付けていない場合（Ｓ５３でＮＯ）、ＣＰＵ１０は、操作部１３を介して横スクロール命令を受け付けたか否かを判定（Ｓ５４）、即ち右キー１３１ｒ又は左キー１３１ｌが操作された場合に操作部１３から送出される右方向信号又は左方向信号を受け付けたか否かを判定する。ここで、Ｓ５２で選択された帯状出力画像に係る帯状画像にサムネイル画像が４枚以下しか配置されていない場合、Ｓ５３は必ずＮＯとなる。また、Ｓ１７で２≦Ｉ≦４である場合、Ｓ５４は必ずＮＯとなる。
【０１２８】
ＣＰＵ１０は、縦スクロール命令を受け付けた場合（Ｓ５３でＹＥＳ）、作成画像記憶部１８に記憶してあるＳ５２で選択された帯状出力画像に係る帯状画像に対し、特定すべき範囲（帯状出力画像）を移動し（Ｓ５５）、移動した帯状出力画像を作成画像記憶部１８から読み出し（Ｓ５６）、読み出した帯状出力画像を、出力画像記憶部１９に記憶してあるＳ５２で選択された帯状出力画像と交換することによって新たな矩形集合画像を作成し（Ｓ５７）、出力画像記憶部１９に記憶させる。更にＣＰＵ１０は、出力画像記憶部１９に記憶してある標題出力画像及び矩形出力画像を読み出し（Ｓ５８）、入出力部１６を介し、Ｓ５８で読み出した標題出力画像及び矩形出力画像を表示装置２へ出力する（Ｓ５９）。
【０１２９】
更にまた、ＣＰＵ１０は、Ｓ５３で受け付けた縦スクロール命令の受け付けが終了したか否かを判定（Ｓ６０）、即ちＳ５３で受け付けた上方向信号又は下方向信号のＣＰＵ１０への入力が終了したか否かを判定し、終了していない場合（Ｓ６０でＮＯ）、つまり縦スクロール命令の入力が継続している場合は、処理をＳ５３へ戻す。
【０１３０】
具体的には、図５（ｂ）の場合、ＣＰＵ１０は、Ｓ５３で上キー１３１ｕ又は下キー１３１ｄが操作された場合、Ｓ５５にて、作成画像記憶部１８に記憶してあるＳ５２で選択された帯状出力画像３３ａに係る帯状画像３３に対し、特定すべき範囲を帯状出力画像３３ａから帯状出力画像３３ｂに移動し、Ｓ５６にて、Ｓ５５で移動した帯状出力画像３３ｂを作成画像記憶部１８から読み出し、Ｓ５７にて、Ｓ５６で読み出した帯状出力画像３３ｂを、出力画像記憶部１９に記憶してある帯状出力画像３３ａと交換することによって新たな矩形出力画像５２を作成し、出力画像記憶部１９に記憶させる。
【０１３１】
更にＣＰＵ１０は、Ｓ５８にて、出力画像記憶部１９に記憶してある標題出力画像５０１及び矩形出力画像５２を読み出し、Ｓ５９にて、入出力部１６を介し、Ｓ５８で読み出した標題出力画像５０１及び矩形出力画像５２を表示装置２へ出力する。この場合、表示画面２０には、図６（ａ）に示す標題出力画像５０１及び矩形出力画像５２が表示される。上キー１３１ｕ又は下キー１３１ｄが操作され続けている間、Ｓ５３、Ｓ５５〜Ｓ６０の処理が繰り返され、このため、表示画面２０には、選択された帯状出力画像３３ａに係る帯状出力画像が継続的に縦スクロール表示される。
【０１３２】
ＣＰＵ１０は、横スクロール命令を受け付けた場合（Ｓ５４でＹＥＳ）、出力画像記憶部１９に記憶してある標題集合画像及び矩形集合画像に対し、特定すべき範囲（標題出力画像及び矩形出力画像）を移動する（Ｓ６１）ことによって新たな標題出力画像及び矩形出力画像を特定し、Ｓ５８へ処理を移して、出力画像記憶部１９に記憶してある標題集合画像及び矩形集合画像の内のＳ６１で特定した標題出力画像及び矩形出力画像を読み出し、Ｓ５９にて、入出力部１６を介し、Ｓ５８で読み出した標題出力画像及び矩形出力画像を表示装置２へ出力する。
【０１３３】
更にまた、ＣＰＵ１０は、Ｓ６０にて、Ｓ５４で受け付けた横スクロール命令の受け付けが終了したか否かを判定、即ちＳ５４で受け付けた右方向信号又は左方向信号のＣＰＵ１０への入力が終了したか否かを判定し、終了していない場合、つまり横スクロール命令の入力が継続している場合は、処理をＳ５３へ戻す。
【０１３４】
具体的には、図５（ｂ）の場合、ＣＰＵ１０は、Ｓ５４で右キー１３１ｒ又は左キー１３１ｌが操作された場合、Ｓ６１にて、出力画像記憶部１９に記憶してある標題集合画像５００及び矩形集合画像５０に対し、特定すべき範囲を標題出力画像５０１及び矩形出力画像５１から標題出力画像５０３及び矩形出力画像５３に移動して、Ｓ５８にて、標題出力画像５０３及び矩形出力画像５３を読み出し、Ｓ５９にて、入出力部１６を介し、Ｓ５８で読み出した標題出力画像５０３及び矩形出力画像５３を表示装置２へ出力する。
【０１３５】
この場合、表示画面２０には、図６（ｂ）に示す標題出力画像５０３及び矩形出力画像５３が表示される。右キー１３１ｒ又は左キー１３１ｌが操作され続けている間、Ｓ５３、Ｓ５４、Ｓ６１、及びＳ５８〜Ｓ６０の処理が繰り返され、このため、表示画面２０には、標題出力画像５０１及び矩形出力画像５１に係る標題出力画像及び矩形出力画像が継続的に横スクロール表示される。
【０１３６】
ＣＰＵ１０は、縦／横スクロール命令の受け付けが終了した場合（Ｓ６０でＹＥＳ）、又は、操作部１３を介して横スクロール命令を受け付けていない場合（Ｓ５４でＮＯ）、スクロールフラグがリセットされているか否かを判定し（Ｓ６１）、スクロールフラグがセットされている場合は（Ｓ６１でＮＯ）、処理をＳ５３へ戻して、縦／横スクロール命令を受け付けるまで待機し、スクロールフラグがリセットされている場合は（Ｓ６１でＹＥＳ）、スクロール移動処理を終了して、処理をメインのルーチンへ戻す。
【０１３７】
所望の種類に分類される動画像を全て消去したいユーザは、以上のような帯状画像出力処理及びスクロール移動処理によって表示画面２０に表示されたサムネイル画像Ｓ，Ｓ，…の内から所望の種類のサムネイル画像Ｓ，Ｓ，…を個々に選択し、サムネイル画像Ｓ，Ｓ，…の選択後、例えば操作部１３の消去キーを操作する。しかしながら、この場合、消去したい動画像に係るサムネイル画像Ｓ，Ｓ，…をユーザがいちいち選択する必要がある。
【０１３８】
そこでユーザは、所望の種類の動画像を全て消去したい場合、表示画面２０に各種操作命令のリストを表示させ、更に、操作部１３の方向キー１３１を操作してカーソルを移動させ、各種操作命令のリストの中から、動画記憶部１７１に記録されている動画像を消去させるための消去準備命令を選択してＯＫキー１３２を操作する。このようにして、ユーザは消去準備命令を記録再生装置１に与える。
【０１３９】
図１１はＣＰＵ１０が実行する画像消去処理の手順を示すフローチャートである。画像消去処理は、消去準備命令が与えられた場合にメインのルーチンから呼び出されて実行されるサブルーチンである。消去準備命令を受け付けたＣＰＵ１０は、まず、ＨＤＤ１７の種類記憶部１７４から種類の標題を読み出して（Ｓ７１）、入出力部１６を介し、標題のリスト及びカーソル、消去実行命令等を表示装置２へ出力する（Ｓ７２）。この場合、表示装置２は、入力された標題のリスト、消去実行命令及びカーソルを表示画面２０に表示させる。ただし、Ｓ７１の時点で、その種類に分類すべき動画像が動画記憶部１７１に記憶されていない種類は表示装置２へ出力しないことが好ましい。
【０１４０】
ユーザは表示画面２０に表示された標題のリストを視認して、所望の標題を検索し、方向キー１３１を操作してカーソルを移動させ、所望の種類の標題を示す選択肢にカーソルを合わせてＯＫキー１３２を操作し、最後に、消去実行命令を示す選択肢にカーソルを合わせてＯＫキー１３２を操作する。このようにしてユーザは記録再生装置１に種類の選択と消去実行命令とを与える。
【０１４１】
ユーザが記録再生装置１に種類の選択と消去実行命令とを与えた場合、選択された種類に分類される動画像が全て自動的に消去される。ただし、選択された種類に分類される動画像の内、ユーザによって消去が禁止されている動画像、即ち識別情報である「消去禁止」に関連付けられている動画像は消去されない。
【０１４２】
ＣＰＵ１０は、操作部１３を介して種類の選択又は消去実行命令を受け付けたか否かを判定し（Ｓ７３）、受け付けていない場合（Ｓ７３でＮＯ）、まだ標題が選択されていないか、更に標題が選択される可能性があるため、種類の選択又は消去実行命令を受け付けるまで待機する。種類の選択又は消去実行命令を受け付けた場合（Ｓ７３でＹＥＳ）、Ｓ７３で消去実行命令を受け付けたか否かを判定し（Ｓ７４）、受け付けていない場合（Ｓ７４でＮＯ）、即ちＳ７３で種類の選択を受け付けた場合、ＣＰＵ１０は、更に標題が選択される可能性があるため、処理をＳ７３へ戻す。Ｓ７３で消去実行命令を受け付けた場合（Ｓ７４でＹＥＳ）、ＣＰＵ１０は処理をＳ７５へ移す。
【０１４３】
なお、図示はしないが、Ｓ７４でＹＥＳの場合でも、Ｓ７３で種類の選択をまだ受け付けていないとき、ＣＰＵ１０はユーザに対してエラーであることを報知してから、Ｓ７３へ処理を戻す。
【０１４４】
ＣＰＵ１０は、選択された標題に係る種類の動画像を検索する（Ｓ７５）。この場合、ＣＰＵ１０は、種類記憶部１７４を参照して、選択された標題に係る種類に関連付けて記憶してある識別情報を検索し、検索結果として得られた識別情報に関連付けて関係記憶部１７３に記憶してある動画像のアドレスを得る。
【０１４５】
Ｓ７５の完了後、ＣＰＵ１０は、Ｓ７５で得られた動画像のアドレスに関連付けて識別情報「消去禁止」が関係記憶部１７３に記憶してあるか否かを判定し（Ｓ７６）、記憶してある場合（Ｓ７６でＹＥＳ）、Ｓ７５で得られた動画像のアドレスに係る動画像を消去せずに後述するＳ７８へ処理を移す。
【０１４６】
Ｓ７４で得られた動画像のアドレスに関連付けて識別情報「消去許可」が関係記憶部１７３に記憶してある場合（Ｓ７６でＮＯ）、ＣＰＵ１０は、Ｓ７５で得られた動画像のアドレスに基づいて、動画記憶部１７１に記憶してある動画像を消去する（Ｓ７７）。また、ＣＰＵ１０は、Ｓ７５で得られた動画像のアドレスに関連付けて関係記憶部１７３に記憶してあるサムネイル画像のアドレスを得て、得られたサムネイル画像のアドレスに基づいてサムネイル記憶部１７２に記憶してあるサムネイル画像を消去する。また、ＣＰＵ１０は、Ｓ７４で得られた動画像のアドレスと、得られたアドレスに関連付けて関係記憶部１７３に記憶してあるサムネイル画像のアドレス及び識別情報を関係記憶部１７３から消去する。
【０１４７】
Ｓ７７の処理完了後、又はＳ７６でＹＥＳの場合、ＣＰＵ１０は、Ｓ７３で選択された標題に係る種類の動画像の検索が終了したか否かを判定し（Ｓ７８）、Ｓ７３で選択された標題に係る種類の動画像の内、Ｓ７６にて消去の可否が判定されていない動画像がまだ存在する場合は（Ｓ７８でＮＯ）、処理をＳ７５へ戻す。また、Ｓ７３で選択された標題に係る種類の動画像の検索が終了した場合（Ｓ７８でＹＥＳ）、ＣＰＵ１０は、Ｓ７２で出力した標題、カーソル等の表示装置２への出力を終了して、画像消去処理を終了し、処理をメインのルーチンへ戻す。
【０１４８】
なお、Ｓ７２にて標題のリストを表示画面２０に出力し表示させるのではなく、標題出力画像５０１及び矩形出力画像５１のような画像を表示画面２０に出力し表示させ、ユーザが表示されている種類の標題を選択して動画像の消去命令を記録再生装置１に与える構成でも良い。
【０１４９】
また、動画像の消去に際してユーザが種類を選択する手順ではなく、ユーザが予め種類を選択し、更に動画像を消去するタイミングを指定しておき、指定されたタイミングで、選択された種類に分類されている動画像が消去される手順でも良い。この場合、例えば毎日０時に、「１ヶ月以上前」という種類に分類される動画像、つまり１ヶ月以上前に記録された動画像が自動的に消去される。更に、複数の種類を選択し、選択された種類全てに分類されている動画像を消去する構成でも良い。例えば種類「１ヶ月以上前」及び「低画質」が選択された場合、１ヶ月以上前に記録された低画質の動画像は一括消去されるが、ここ１ヶ月の間に記録された低画質の動画像、１ヶ月以上前に記録された高画質の動画像等は消去されない。
【０１５０】
以上のような帯状画像出力処理及びスクロール移動処理、並びに画像消去処理において、記録再生装置１は、画像を縮小したサムネイル画像を一方向に配置した複数の帯状出力画像を含む矩形出力画像を出力する画像再生装置として機能する。また、各帯状出力画像は、帯状出力画像に含まれるサムネイル画像の枚数よりも多い枚数のサムネイル画像を一方向に配置してある帯状画像の一部であり、矩形出力画像は、複数の帯状出力画像を帯状画像の幅方向に並置してある。
【０１５１】
Ｓ５２，Ｓ５３におけるＣＰＵ１０及び操作部１３は、出力した矩形出力画像に含まれる複数の帯状出力画像の内の何れかの選択、及び選択された帯状出力画像に対する帯状画像の長手方向へのスクロール命令を受け付ける受付手段として機能し、受付手段がスクロール命令を受け付けた場合、Ｓ５５〜Ｓ５９におけるＣＰＵ１０は、受け付けたスクロール命令に従い、出力すべき矩形出力画像に含まれる帯状出力画像をスクロール移動する長手方向スクロール手段として機能する。
【０１５２】
更に、矩形出力画像は、矩形出力画像に含まれるサムネイル画像の枚数よりも多い枚数のサムネイル画像を配置してある矩形集合画像の一部であり、Ｓ５４におけるＣＰＵ１０及び操作部１３は、出力した矩形出力画像に対する幅方向へのスクロール命令を受け付ける受付手段として機能し、受付手段がスクロール命令を受け付けた場合、Ｓ６１、Ｓ５８及びＳ５９におけるＣＰＵ１０は、受け付けたスクロール命令に従い、出力すべき矩形出力画像をスクロール移動する幅方向スクロール手段として機能する。
【０１５３】
動画記憶部１７１と関係記憶部１７３とは、複数の画像、及び複数の画像を識別する識別情報を関連付けて記憶する画像記憶手段として機能し、Ｓ２０におけるＣＰＵ１０は、種類記憶部１７４を参照することによって、画像記憶手段に記憶してある識別情報に応じて画像を分類する分類手段として機能する。更に、Ｓ２１におけるＣＰＵ１０は、帯状画像毎に、分類手段が分類した異なる分類に含まれる識別情報に関連付けられた画像を縮小したサムネイル画像を配置して帯状画像を作成する帯状画像作成手段として機能する。
【０１５４】
種類記憶部１７４は、異なる分類毎の標題を記憶する標題記憶手段として機能し、Ｓ３１におけるＣＰＵ１０は、出力すべき矩形出力画像に含まれる各帯状出力画像に配置されるサムネイル画像に対応する分類の標題を標題記憶手段から読み出す読出手段として機能し、Ｓ４０におけるＣＰＵ１０は、読出手段が読み出した標題を、帯状出力画像に対応して出力する標題出力手段として機能する。
【０１５５】
また、Ｓ７３におけるＣＰＵ１０は、分類手段による分類の内、何れかの分類の選択を受け付ける選択手段として機能する。また、Ｓ７７におけるＣＰＵ１０は、選択手段が分類の選択を受け付けた場合、選択された分類に分類される識別情報に関連付けて記憶してある画像を画像記憶手段から消去する消去手段として機能する。
【０１５６】
以上のような記録再生装置１を用いる場合、表示画面２０は、夫々異なる種類の画像に係るサムネイル画像Ｓ，Ｓ，…を配置した例えば複数の帯状出力画像３１ａ，３２ａ，…を並置した矩形出力画像５１及び標題画像４１，４２，…を並置した標題出力画像５０１を表示することができる。つまり、記録再生装置１は、ＨＤＤ１７に記憶されている動画像を、種類毎に分類してユーザに提示することができる。
【０１５７】
また、記録再生装置１が、帯状出力画像３１ａ，３２ａ，…の何れかの選択と選択された帯状出力画像３３ａに対する縦スクロール命令とを受け付けた場合、表示画面２０は、同一種類の画像に係るサムネイル画像Ｓ，Ｓ，…を配置した帯状出力画像３３ａを縦方向にスクロール表示させることができる。また、記録再生装置１が、標題出力画像５０１及び矩形出力画像５１に対する横スクロール命令を受け付けた場合、表示画面２０は、標題出力画像５０１及び矩形出力画像５１を横方向にスクロール表示させることができる。
【０１５８】
更に、記録再生装置１は、同一種類に分類されている動画像を一括して消去することができる。
【０１５９】
以上のことから、記録再生装置１は、ユーザの要望に合わせた種類で動画像を管理し、ユーザの要望に合わせた種類に分類してサムネイル画像を表示画面２０に表示させることができる。また、スクロール表示の際、同一種類のサムネイル画像毎に移動する方が、異なる種類のサムネイル画像が混在した状態で移動するよりも、サムネイル画像の内容がユーザに認識されやすい。このため、ユーザは容易に所望の動画像を得ることができる。
【０１６０】
実施の形態  ２．
本実施の形態における記録再生装置１は、実施の形態１の記録再生装置１が備える各部と略同様の各部を備えるが、出力画像記憶部１９を備える必要はない。また、作成画像記憶部１８は、サムネイル画像を配置した矩形画像、及び複数種類の標題を示す帯状標題画像を記憶する。その他、実施の形態１に対応する部分には同一符号を付してそれらの説明を省略する。
【０１６１】
図１２は、作成画像記憶部１８に記憶される画像の一例及び表示装置２の表示画面２０に表示される画像の一例を示す模式図である。作成画像記憶部１８には、同一種類の動画像に係るサムネイル画像Ｓ，Ｓ，…を縦方向に並置し、異なる複数種類の動画像に係るサムネイル画像Ｓ，Ｓ，…を横方向に並置した矩形画像６０のようなＢ×Ｌの矩形画像と、異なる複数種類の標題を示す帯状標題画像６００のようなＢ×ｎ１の帯状標題画像とが記憶される。実施の形態１の矩形集合画像５０は複数本の帯状出力画像３１ａ，３２ａ，…を含むが、矩形画像６０は帯状出力画像を含まない１枚の画像である。また、実施の形態１の標題集合画像５００は複数枚の標題画像４１，４２，…を含むが、帯状標題画像６００は標題画像を含まない１本の画像である。
【０１６２】
表示画面２０の画素数Ｍ×ｎ２の範囲には、矩形画像６０の一部である矩形出力画像６１のようなＭ×ｎ２の矩形出力画像が表示され、表示画面２０の画素数Ｍ×ｎ１の範囲には、帯状標題画像６００の一部である標題出力画像６０１のようなＭ×ｎ１の標題出力画像が表示される。また、表示画面２０には、サムネイル画像Ｓ，Ｓ，…を選択するためのカーソルＣも表示される。
【０１６３】
表示画面２０にて、矩形出力画像６１はユーザによる操作部１３の操作に応じて縦／横方向にスクロール表示される。標題出力画像６０１は、矩形出力画像６１が縦方向にスクロール表示される場合はスクロール表示されることはないが、矩形出力画像６１が横方向にスクロール表示される場合は矩形出力画像６１の横スクロール表示に連れて横方向にスクロール表示される。なお、表示画面２０に表示すべき全ての種類に関し、同一種類のサムネイル画像が４枚以下である場合、矩形出力画像６１は縦方向にスクロール表示されない。更に、表示すべき異なる種類が２個以上４個以下である場合、標題出力画像６０１及び矩形出力画像６１は横方向にスクロール表示されない。
【０１６４】
図１３及び図１４は、ＣＰＵ１０が実行する矩形画像出力処理の手順を示すフローチャートである。矩形画像出力処理は、実施の形態１の帯状画像出力処理と同様に、記録再生装置１に表示準備命令が与えられた場合にメインのルーチンから呼び出されて実行されるサブルーチンである。Ｓ９１〜Ｓ９７の処理は、図８に示すＳ１１〜Ｓ１７の処理と略同様であるため、説明を省略する。
【０１６５】
Ｉ＞１である場合（Ｓ９７でＮＯ）、ＣＰＵ１０は、Ｓ９４の処理が複数繰り返されて選択された複数の標題夫々に係る種類の動画像に係るサムネイル画像Ｓ，Ｓ，…を、同一種類の動画像に係るサムネイル画像Ｓ，Ｓ，…毎に全て読み出して（Ｓ１１１）、読み出した同一種類の動画像に係るサムネイル画像Ｓ，Ｓ，…を縦方向に、異なる種類の動画像に係るサムネイル画像Ｓ，Ｓ，…を横方向に並置し、１枚の矩形画像を作成し（Ｓ１１２）、作成した矩形画像を作成画像記憶部１８に記憶させる。
【０１６６】
Ｓ１１２の処理後、ＣＰＵ１０はＳ９４の処理が複数繰り返されて選択された複数の標題を種類記憶部１７４から読み出し（Ｓ１１３）、読み出した複数の標題を横に並置した帯状標題画像を作成し（Ｓ１１４）、作成した帯状標題画像を作成画像記憶部１８に記憶させる。Ｓ１１４の処理後、ＣＰＵ１０は、Ｓ１１４で作成した帯状標題画像の内の標題出力画像となる範囲を特定し、Ｓ１１２で作成した矩形画像の内の矩形出力画像となる範囲を特定する（Ｓ１１５）。
【０１６７】
Ｓ１１５の処理後、ＣＰＵ１０はＳ１１５で特定した標題出力画像及び矩形出力画像を作成画像記憶部１８から読み出して（Ｓ１１６）、入出力部１６を介し、Ｓ１１６で読み出した標題出力画像及び矩形出力画像を表示装置２へ出力する（Ｓ１１７）。更にＣＰＵ１０は、図示はしないが、入出力部１６を介し、カーソルを表示装置２へ出力する。この後、ＣＰＵ１０は、矩形画像出力処理を終了して、処理をメインのルーチンへ戻す。
【０１６８】
具体的には、ユーザが標題「ニュース」、「スポーツ」、「ドラマ」等を選択した場合、Ｉ＞１でありＳ９７にてＮＯとなり、ＣＰＵ１０は、種類記憶部１７４を参照して、Ｓ１１１にて、種類記憶部１７４を参照し、選択された複数の標題夫々に係る種類「ニュース番組」、「スポーツ番組」等に関連付けて記憶されている識別情報「報道特番」、「野球中継」等を得る。更にＣＰＵ１０は、得られた識別情報「報道特番」、「野球中継」夫々に関連付けて記憶されているサムネイル画像のアドレスを、関係記憶部１７３を参照して得る。更にまたＣＰＵ１０は、得られたアドレスに基づいて、サムネイル記憶部１７２に記憶されているサムネイル画像Ｓ，Ｓ，…を読み出す。
【０１６９】
また、ＣＰＵ１０は、Ｓ１１２にて、作成画像記憶部１８を作業領域とし、Ｓ１１１で読み出した複数のサムネイル画像Ｓ，Ｓ，…を配置した図１２に示すＢ×Ｌの矩形画像６０を１枚作成する。作成された矩形画像６０は、作成画像記憶部１８に記憶される。矩形画像６０には、ニュース番組の動画像のサムネイル画像Ｓ，Ｓ，…が縦一列に並置され、スポーツ番組の動画像のサムネイル画像Ｓ，Ｓ，…が縦一列に並置され、…、各縦一列のサムネイル画像の列が、横方向に並置される。この場合、例えば、ニュース番組の動画像のサムネイル画像Ｓが、スポーツ番組の動画像のサムネイル画像Ｓ，Ｓ，…の列に混在することはない。
【０１７０】
更にＣＰＵ１０は、Ｓ１１３にて、種類「ニュース番組」、「スポーツ番組」等に関連付けて記憶されている標題「ニュース」、「スポーツ」等を順に読み出し、Ｓ１１４にて、作成画像記憶部１８を作業領域とし、Ｓ１１３で読み出した標題「ニュース」、「スポーツ」等を用いて図１２に示すＢ×ｎ１の帯状標題画像６００を１本作成する。作成された帯状標題画像６００は、帯状標題画像６００と矩形画像６０とが縦方向に並置されるよう関連付けて、作成画像記憶部１８に記憶される。
【０１７１】
更にまた、Ｓ１１５にて、ＣＰＵ１０は、作成画像記憶部１８に記憶された帯状標題画像６００及び矩形画像６０の内、帯状標題画像６００の標題出力画像となるＭ×ｎ１の範囲、及び矩形画像６０の矩形出力画像となるＭ×ｎ２の範囲を夫々特定する。ここで特定された範囲が図１２に示すＭ×ｎ１の標題出力画像６０１及びＭ×ｎ２の矩形出力画像６１である。更にまた、ＣＰＵ１０は、Ｓ１１６にて、Ｓ１１５で特定した標題出力画像６０１及び矩形出力画像６１を読み出し、Ｓ１１７にて、Ｓ１１６で読み出した標題出力画像６０１及び矩形出力画像６１とカーソルとを表示装置２へ出力する。標題出力画像６０１及び矩形出力画像６１とカーソルとを入力された表示装置２の表示画面２０には、図１２に示す標題出力画像６０１及び矩形出力画像６１とカーソルＣとが表示される。
【０１７２】
ユーザは、表示画面２０に表示された標題出力画像６０１と矩形出力画像６１とを視認して、表示されているサムネイル画像Ｓ，Ｓ，…の中から所望の動画像に係るサムネイル画像Ｓを検索する。この場合、表示画面２０に表示されていないサムネイル画像Ｓ，Ｓ，…を表示画面２０に表示させたいとき、ユーザはトグルキー１３３を操作してスクロールフラグをセットさせ、更に、方向キー１３１を操作する。以上のようにしてユーザは記録再生装置１に縦スクロール命令又は横スクロール命令を与える。
【０１７３】
ユーザは、所望のサムネイル画像Ｓ，Ｓ，…が表示画面２０に表示されるまで、上キー１３１ｕ又は下キー１３１ｄの操作を継続する。この場合、表示画面２０は、矩形出力画像６１に係る矩形出力画像を継続的に縦スクロール表示する。また、ユーザは、所望の種類の標題を示す標題画像が表示画面２０に表示されるまで、右キー１３１ｒ又は左キー１３１ｌの操作を継続する。この場合、表示画面２０は、標題出力画像６０１及び矩形出力画像６１に係る標題出力画像及び矩形出力画像を継続的に横スクロール表示する。
【０１７４】
図１５はＣＰＵ１０が実行するスクロール移動処理の手順を示すフローチャートである。スクロール移動処理は、図１３〜図１４に示した矩形画像出力処理の完了後にメインのルーチンから適宜に繰り返し呼び出されて実行されるサブルーチンである。まず、ＣＰＵ１０は、スクロールフラグがセットされているか否かを判定し（Ｓ１３１）、スクロールフラグがリセットされている場合は（Ｓ１３１でＮＯ）、スクロール移動処理を終了して処理をメインのルーチンへ戻す。
【０１７５】
スクロールフラグがセットされている場合（Ｓ１３１でＹＥＳ）、ＣＰＵ１０は、操作部１３を介して縦スクロール命令を受け付けたか否かを判定する（Ｓ１３２）。受け付けていない場合（Ｓ１３２でＮＯ）、ＣＰＵ１０は、操作部１３を介して横スクロール命令を受け付けたか否かを判定する（Ｓ１３３）。
【０１７６】
ＣＰＵ１０は、縦スクロール命令を受け付けた場合（Ｓ１３２でＹＥＳ）、作成画像記憶部１８に記憶してある矩形画像に対し、特定すべき範囲（矩形出力画像）を移動し（Ｓ１３４）、移動した矩形出力画像、及び既に特定されている標題出力画像を作成画像記憶部１８から読み出し（Ｓ１３５）、入出力部１６を介し、Ｓ１３５で読み出した標題出力画像及び矩形出力画像を表示装置２へ出力する（Ｓ１３６）。更にまた、ＣＰＵ１０は、Ｓ１３２で受け付けた縦スクロール命令の受け付けが終了したか否かを判定し（Ｓ１３７）、終了していない場合（Ｓ１３７でＮＯ）、つまり縦スクロール命令の入力が継続している場合は、処理をＳ１３２へ戻す。
【０１７７】
ＣＰＵ１０は、横スクロール命令を受け付けた場合（Ｓ１３３でＹＥＳ）、出力画像記憶部１９に記憶してある帯状標題画像及び矩形画像に対し、特定すべき範囲（標題出力画像及び矩形出力画像）を移動する（Ｓ１３８）ことによって新たな標題出力画像及び矩形出力画像を特定し、Ｓ１３５へ処理を移して、Ｓ１３８で特定した標題出力画像及び矩形出力画像を読み出し、Ｓ１３６にて、入出力部１６を介し、Ｓ１３５で読み出した標題出力画像及び矩形出力画像を表示装置２へ出力する。更にまた、ＣＰＵ１０は、Ｓ１３７にて、Ｓ１３３で受け付けた横スクロール命令の受け付けが終了したか否かを判定し、終了していない場合、つまり横スクロール命令の入力が継続している場合は、処理をＳ１３２へ戻す。
【０１７８】
ＣＰＵ１０は、縦／横スクロール命令の受け付けが終了した場合（Ｓ１３７でＹＥＳ）、又は、操作部１３を介して横スクロール命令を受け付けていない場合（Ｓ１３３でＮＯ）、スクロールフラグがリセットされているか否かを判定し（Ｓ１３９）、スクロールフラグがセットされている場合は（Ｓ１３９でＮＯ）、処理をＳ１３２へ戻して、縦／横スクロール命令を受け付けるまで待機し、スクロールフラグがリセットされている場合は（Ｓ１３９でＹＥＳ）、スクロール移動処理を終了して、処理をメインのルーチンへ戻す。
【０１７９】
以上のような矩形画像出力処理及びスクロール移動処理において、動画記憶部１７１と関係記憶部１７３とは、複数の画像及び複数の画像を識別する識別情報を関連付けて記憶する画像記憶手段として機能し、Ｓ１１１におけるＣＰＵ１０は、種類記憶部１７４を参照することによって、画像記憶手段に記憶してある識別情報に応じて画像を分類する分類手段として機能する。また、記録再生装置１は、複数の画像夫々を縮小したサムネイル画像を含む矩形出力画像を出力する画像再生装置として機能する。更に、矩形出力画像は、矩形出力画像に含まれるサムネイル画像の枚数よりも多い枚数のサムネイル画像を含む矩形画像の一部である。
【０１８０】
Ｓ１１２にて、ＣＰＵ１０は、分類手段が分類した同一の分類に含まれる画像を縮小したサムネイル画像を矩形画像の一辺方向に並置し、異なる分類に含まれる画像を縮小したサムネイル画像同士を一辺方向に直交する他辺方向に並置して矩形画像を形成する矩形画像形成手段として機能する。また、Ｓ１３２及びＳ１３３におけるＣＰＵ１０と操作部１３とは、出力した矩形出力画像に対するスクロール命令を受け付ける受付手段として機能する。更に、受付手段がスクロール命令を受け付けた場合、Ｓ１３４〜Ｓ１３６におけるＣＰＵ１０、及びＳ１３８、Ｓ１３５及びＳ１３６におけるＣＰＵ１０は、受け付けたスクロール命令に従い、出力すべき矩形出力画像をスクロール移動するスクロール手段として機能する。
【０１８１】
種類記憶部１７４は、異なる分類毎の標題を記憶する標題記憶手段として機能し、Ｓ１１３におけるＣＰＵ１０は、出力すべき矩形出力画像に並置される異なる分類に含まれる画像を縮小したサムネイル画像夫々に対応する分類の標題を標題記憶手段から読み出す読出手段として機能し、Ｓ１１７におけるＣＰＵ１０は、読出手段が読み出した標題を、他辺方向に並置される異なる分類に含まれる画像を縮小したサムネイル画像に対応して出力する標題出力手段として機能する。
【０１８２】
以上のような記録再生装置１を用いる場合、表示画面２０は、サムネイル画像Ｓ，Ｓ，…が画像の種類毎に区分されている矩形出力画像６１と、標題出力画像６０１とを表示することができる。また、矩形出力画像６１に対する縦／横スクロール命令を受け付けた場合、表示画面２０は、矩形出力画像６１を縦／横方向にスクロール表示させることができる。
【０１８３】
以上のことから、記録再生装置１は、ユーザの要望に合わせた種類で動画像を管理し、ユーザの要望に合わせた種類に分類してサムネイル画像を表示画面２０に表示させることができる。また、ユーザは容易に所望の動画像を得ることができる。
【０１８４】
なお、本実施の形態１，２においては記録再生装置１としてＨＤＤ内蔵型デジタルビデオレコーダを例示したが、これに限るものではなく、ＶＨＳ、ＤＶＣ等の記録媒体を用いるレコーダ／プレーヤでも良い。また、記録再生装置１は、デジタルスチルカメラ、デジタルビデオカメラ等のように、動画像、静止画像、サムネイル画像等を表示する表示部を内蔵する構成でも良い。
【０１８５】
更に、本実施の形態１，２においては動画記憶部１７１、サムネイル記憶部１７２、関係記憶部１７３、種類記憶部１７４をＨＤＤ１７が有する記録再生装置１を例示したが、これに限るものではない。例えば関係記憶部１７３、又は種類記憶部１７４をＲＯＭ１１、ＲＡＭ１２等に設ける構成でも良い。更にまた、動画記憶部１７１、サムネイル記憶部１７２、及び関係記憶部１７３をＤＶＤのような可搬性を有する記録媒体、又は外付けのＨＤＤに設ける構成でも良い。
【０１８６】
また、本実施の形態１，２においては、サムネイル画像の元画像として動画像を例示し、サムネイル画像として静止画像を例示したが、元画像は静止画像でも映像から分離した動画像でも良く、サムネイル画像は動画像でも映像でも良い。更に、元画像である動画像とサムネイル画像とは一対一対応である場合を例示したが、これに限るものではない。例えば、１個の動画像に関して複数の再生開始位置を設け、再生開始位置夫々にサムネイル画像が対応する場合でも良い。
【図面の簡単な説明】
【０１８７】
【図１】本発明の実施の形態１に係る画像再生装置である記録再生装置の構成を示すブロック図である。
【図２】本発明の実施の形態１に係る記録再生装置が備えるＨＤＤに記憶されるデータの一例を示す模式図である。
【図３】本発明の実施の形態１に係る記録再生装置から出力された画像を表示する表示画面の構成を示す正面図である。
【図４】本発明の実施の形態１に係る記録再生装置が備える作成画像記憶部に記憶される画像の一例を示す模式図である。
【図５】本発明の実施の形態１に係る記録再生装置が備える出力画像記憶部に記憶される画像、及び記録再生装置から出力された画像を表示する表示画面に表示される画像の一例を夫々示す模式図である。
【図６】本発明の実施の形態１に係る記録再生装置から出力された画像を表示する表示画面に表示される画像の他の一例を示す模式図である。
【図７】本発明の実施の形態１に係る記録再生装置から出力された画像を表示する表示画面に表示される画像の更に他の一例を示す模式図である。
【図８】本発明の実施の形態１に係る記録再生装置の帯状画像出力処理の手順を示すフローチャートである。
【図９】本発明の実施の形態１に係る記録再生装置の帯状画像出力処理の手順を示すフローチャートである。
【図１０】本発明の実施の形態１に係る記録再生装置のスクロール移動処理の手順を示すフローチャートである。
【図１１】本発明の実施の形態１に係る記録再生装置の画像消去処理の手順を示すフローチャートである。
【図１２】本発明の実施の形態２に係る記録再生装置が備える作成画像記憶部に記憶される画像の一例及び記録再生装置から出力された画像を表示する表示画面に表示される画像の一例を示す模式図である。
【図１３】本発明の実施の形態２に係る記録再生装置の矩形画像出力処理の手順を示すフローチャートである。
【図１４】本発明の実施の形態２に係る記録再生装置の矩形画像出力処理の手順を示すフローチャートである。
【図１５】本発明の実施の形態２に係る記録再生装置のスクロール移動処理の手順を示すフローチャートである。
【符号の説明】
【０１８８】
１  記録再生装置（画像再生装置）
１０  ＣＰＵ
１１  ＲＯＭ
１２  ＲＡＭ
１３  操作部（受付手段）
１７  ＨＤＤ
１７１  動画記憶部（画像記憶手段）
１７３  関係記憶部（画像記憶手段）
１７４  種類記憶部（標題記憶手段）
１８  作成画像記憶部
１９  出力画像記憶部
２  表示装置
２０  表示画面
【図１】
2006014237.tif 000003
【図２】
2006014237.tif 000004
【図３】
2006014237.tif 000005
【図４】
2006014237.tif 000006
【図５】
2006014237.tif 000007
【図６】
2006014237.tif 000008
【図７】
2006014237.tif 000009
【図８】
2006014237.tif 000010
【図９】
2006014237.tif 000011
【図１０】
2006014237.tif 000012
【図１１】
2006014237.tif 000013
【図１２】
2006014237.tif 000014
【図１３】
2006014237.tif 000015
【図１４】
2006014237.tif 000016
【図１５】
2006014237.tif 000017